(57)【要約】　　　（修正有）【課題】高齢者の見守りおよび留守宅のセキュリティ監視サービスの提供。【解決手段】多数のセンサー等からの情報を加工処理し、インターネットプロトコルを用いた常時接続環境を有する通信手段で送信するコントローラ、前記コントローラから通信手段を介して送信される情報を受信し蓄積し加工する機能を有する１以上の手段により加工処理するセンター装置で構成される。前記コントローラと、センター装置と、該コントローラと該センター装置の間の通信がインターネットプロトコルを用いた常時接続環境を有するＷＡＮおよび/またはＬＡＮとで構成されるシステムであり、対象となる見守りからの情報を該コントローラと該センター装置とで適当な割合において分担して加工処理することにより、多数の見守りからの情報を送受信し処理することを可能とするものであることを特徴とするシステム。【選択図】図１
2004145875.tif 000002
【特許請求の範囲】
【請求項１】
複数の手段により対象とする多数の見守りからの情報を加工処理し送信する第一の工程、第一の工程からの情報をインターネットプロトコルを用いた常時接続環境を有する通信手段で送信する工程、第一工程から通信手段を介して送信される情報を受信し蓄積し加工する機能を有する１以上の手段により加工処理する第二の工程からなり、対象とする多数の見守りからの情報を第一の工程と第二の工程とで適当な割合において分担して加工処理することを特徴とする多数の見守りからの情報を送受信し処理する方法。
【請求項２】
第一の工程において、情報を送信する回数を削減し、送信時期を分散させ、および/または、送信した情報を受信側が受信する確度を高める処理加工をし、第二の工程において、情報を受信する回数を削減し、および/または、受信した情報の蓄積および加工を高速化する処理加工をする請求項１の多数の見守りからの情報を送受信し処理する方法。
【請求項３】
第一の工程において、受け取った情報を即時に送信するもの、一定時間蓄積した後に一括して送信するもの、または定期的に送信するものに分類して情報を送信することにより、情報を送信する回数を削減する請求項２の多数の見守りからの情報を送受信し処理する方法。
【請求項４】
第一の工程において、時刻ではなく、各手段に発生した事象を基準に、前記一定時間または前記定期を起算し、情報を送信する時期を手段毎に分散する請求項２または３の多数の見守りからの情報を送受信し処理する方法。
【請求項５】
第一の工程において、受信されなかった情報を繰り返し送信することにより、送信した情報を受信側が受信する確度を高める請求項２、３または４の多数の見守りからの情報を送受信し処理する方法。
【請求項６】
第二の工程において、情報の受信時に電子認証を行い、認証されずに受信を拒否した場合は、第一工程から通信手段を介して送信される情報の受信を一定時間拒否し、情報を受信する回数を削減する請求項２ないし５のいずれかの多数の見守りからの情報を送受信し処理する方法。
【請求項７】
第二の工程において、第一工程から通信手段を介する送信の過去の認証履歴に基づいて、第一工程から通信手段を介して送信される情報の受信を拒否する前記一定時間を幾何級数的に延長し、情報を受信する回数を削減する請求項２ないし６のいずれかの多数の見守りからの情報を送受信し処理する方法。
【請求項８】
第二の工程において、前記の１以上の手段を、負荷分散手段および／または複数の処理手段とし、該負荷分散手段が、受信する前記情報を、複数の該処理手段に振り分け、および／または、複数の該処理手段が情報を受信する機能、情報を蓄積する機能、情報を加工する機能を、それぞれ分担し、受信した情報の蓄積および加工を高速化する請求項２ないし７のいずれかの多数の見守りからの情報を送受信し処理する方法。
【請求項９】
第二の工程において、第一工程から通信手段を介して送信される情報を閲覧可能に加工処理し、外部からの要求に対して閲覧提供する請求項２ないし８のいずれかの多数の見守りからの情報を送受信し処理する方法。
【請求項１０】
前記閲覧可能に加工処理した情報に対し、外部からの閲覧要求が予め設定された時間行われない場合には、外部に閲覧督促の通知をする請求項９の多数の見守りからの情報を送受信し処理する方法。
【請求項１１】
第二の工程において、受信し蓄積し加工した情報を定期的に前記外部に通知する請求項２ないし１０のいずれかの多数の見守りからの情報を送受信し処理する方法。
【請求項１２】
第二の工程において、第一工程から通信手段を介して送信される情報を、見守りのための設定情報に基づき、加工処理し、外部に通知する請求項２ないし１１のいずれかの多数の見守りからの情報を送受信し処理する方法。
【請求項１３】
第二の工程において、外部からの要求に応じて前記見守りのための設定情報を変更する請求項１２の多数の見守りからの情報を送受信し処理する方法。
【請求項１４】
第一の工程において、多数の見守りからの情報を、見守りのための設定情報に基づき、加工処理し、外部に通知するための情報を送信し、第二の工程において、該通知情報を加工処理し、外部に通知する請求項２ないし１１のいずれかの多数の見守りからの情報を送受信し処理する方法。
【請求項１５】
第一の工程において、外部からの要求に応じて前記見守りのための設定情報を変更する請求項１４の多数の見守りからの情報を送受信し処理する方法。
【請求項１６】
第一の工程において、多数の見守りからの情報を送信した際に、前記外部からの要求に応じて変更された見守りのための設定情報を取得する請求項２ないし１５のいずれかの多数の見守りからの情報を送受信し処理する方法。
【請求項１７】
在宅モード、外出モードまたは帰宅通知外出モードを選択するステップを有する第一の工程と、第一の工程で選択され、第一の工程から通信手段を介して送信される在宅モード、外出モードまたは帰宅通知外出モードのいずれかの情報に基づいて加工処理するステップを有する第二の工程を合わせ持つことで、在宅中の見守り、外出中の監視または帰宅の通知を行うことを可能とする請求項２ないし１６のいずれかの多数の見守りからの情報を送受信し処理する方法。
【請求項１８】
前記第一の工程は、解除モードを選択するステップを有し、第一の工程で解除モードが選択されると、第一の工程から通信手段を介して送信される解除モードの情報に基づいて加工処理するステップを有する第二の工程を合わせ持つことで、情報の送受信を中断することを可能とする請求項１７の多数の見守りからの情報を送受信し処理する方法。
【請求項１９】
前記在宅モード選択時においては、帰宅通知外出モード、外出モードまたは解除モードの選択が可能であり、前記外出モード選択時においては、在宅モードまたは解除モードの選択が可能であり、前記帰宅通知外出モード選択時においては、在宅モードまたは解除モードの選択が可能であり、前記解除モードの選択時においては、在宅モード、外出モードまたは帰宅通知外出モードの選択が可能である請求項１８の多数の見守りからの情報を送受信し処理する方法。
【請求項２０】
前記外出モードから在宅モードまたは解除モードへの切り替えをする場合、および前記帰宅通知外出モードから在宅モードまたは解除モードへの切り替えをする場合において、パスワードの入力が必要であり、該パスワードが正しい場合のみモードの切り替えが行われる請求項１９の多数の見守りからの情報を送受信し処理する方法。
【請求項２１】
前記パスワードの入力が、設定された回数連続して失敗した場合には、外部に認証失敗の通知をする請求項２０の多数の見守りからの情報を送受信し処理する方法。
【請求項２２】
前記在宅モード選択時において、設定した時間継続して任意の見守りからの人検知情報の送信がない場合、および／または、設定した任意の時間帯に任意の見守りからの人検知情報の送信がない場合には、外部に人未検知の通知をする請求項１７ないし２１のいずれかの多数の見守りからの情報を送受信し処理する方法。
【請求項２３】
前記在宅モード選択時において、任意の見守りからの人検知情報が送信された場合、および／または、解除モード、外出モードまたは帰宅通知外出モードのいずれかが選択された場合には、外部に人検知の通知をする請求項１７ないし２２のいずれかの多数の見守りからの情報を送受信し処理する方法。
【請求項２４】
前記外出モード選択時において、任意の見守りからの人検知情報が送信された場合には、外部に人検知の通知をする請求項１７ないし２３のいずれかの多数の見守りからの情報を送受信し処理する方法。
【請求項２５】
前記外出モードまたは前記帰宅通知外出モードの選択は、外部から前記常時接続環境を通じて行うことが可能である請求項１７ないし２４のいずれかの多数の見守りからの情報を送受信し処理する方法。
【請求項２６】
前記外部からの外出モードまたは帰宅通知外出モードの選択が成功した場合には、外部に設定完了の通知をする請求項２５の多数の見守りからの情報を送受信し処理する方法。
【請求項２７】
前記帰宅通知外出モード選択時において、在宅モードまたは解除モードのいずれかが選択された場合には、外部に帰宅の通知をする請求項１７ないし２６のいずれかの多数の見守りからの情報を送受信し処理する方法。
【請求項２８】
前記解除モードが選択された後から他のモードへの切り替えが設定した時間以上行われない場合には、外部に解除モード継続の通知をする請求項１７ないし２７のいずれかの多数の見守りからの情報を送受信し処理する方法。
【請求項２９】
前記第一の工程は、前記常時接続環境から最新の加工処理手段を取得し、該加工処理手段を用いて複数の手段により対象とする多数の見守りからの情報を加工処理し送信する請求項２ないし２８のいずれかの多数の見守りからの情報を送受信し処理する方法。
【請求項３０】
前記第一の工程の稼働状況を記憶し、前記常時接続環境を介して定期的に該記憶した稼働状況を前記第二の工程へ送信する請求項２ないし２９のいずれかの多数の見守りからの情報を送受信し処理する方法。
【請求項３１】
前記の見守りからの情報が、各見守りからのセンサーの検知情報および/または電気機器の動作情報である請求項２ないし３０のいずれかの多数の見守りからの情報を送受信し処理する方法。
【請求項３２】
ＣＰＵ部と、記憶部と、センサー部と、外部インタフェース部と、時計部と、操作部と、ブザー部と、状態表示部と、通信部とから構成され、請求項１から請求項３１のいずれかの多数の見守りからの情報を送受信し処理する方法における、前記第一の工程で使用することができる機能を有するコントローラ。
【請求項３３】
前記記憶部は、コントローラ識別データと、動作データと、日時データと、ＩＰアドレスデータと、設定データと、外部インタフェース接続データと、コントローラ稼働ログデータと、ＬＡＮステータスデータとを保持し、前記ＣＰＵ部は該データを加工処理し送信することを特徴とする請求項３２のコントローラ。
【請求項３４】
在宅モード、外出モード、帰宅通知外出モードおよび解除モードを有することを特徴とする請求項３２または３３のコントローラ。
【請求項３５】
前記操作部は、押下すると予め設定したメールアドレスに連絡メールを送信する連絡ボタン兼認証パスワード入力キーである複数のボタンと、複数のモード設定スイッチとから構成されることを特徴とする請求項３４のコントローラ。
【請求項３６】
前記複数のボタンは、在宅モードまたは解除モード選択時においては連絡ボタンとして機能し、外出モードまたは帰宅通知外出モード選択時においては認証パスワード入力キーとして機能することを特徴とする請求項３５のコントローラ。
【請求項３７】
前記モード設定スイッチは、在宅スイッチと、解除スイッチと、外出スイッチとから構成され、
在宅モード選択時においては、外出スイッチを押下すると外出モードに切り替わり、解除スイッチを押下すると解除モードに切り替わり、外出スイッチを複数秒継続して押下すると帰宅通知外出モードに切り替わり、
外出モード選択時においては、在宅スイッチを押下すると在宅モードに切り替わり、解除スイッチを押下すると解除モードに切り替わり、
帰宅通知外出モード選択時においては、在宅スイッチを押下すると在宅モードに切り替わり、解除スイッチを押下すると解除モードに切り替わり、
解除モード選択時においては、在宅スイッチを押下すると在宅モードに切り替わり、外出スイッチを押下すると外出モードに切り替わり、外出スイッチを複数秒継続して押下すると帰宅通知外出モードに切り替わることを特徴とする請求項３５または３６のコントローラ。
【請求項３８】
請求項３２ないし３７のいずれかのコントローラにおいて稼働するプログラムであって、該記憶部が保持するコントローラ識別データと、動作データと、日時データと、ＩＰアドレスデータと、設定データと、外部インタフェース接続データと、コントローラ稼働ログデータと、ＬＡＮステータスデータとを、該ＣＰＵ部に加工処理し送信させるためのプログラム。
【請求項３９】
赤外線による人検出部と、記憶部と、ＣＰＵ部と、外部インターフェース部から構成され、請求項３１の多数の見守りからの情報を送受信し処理する方法における、該見守りからの情報源であるセンサー。
【請求項４０】
請求項３９のセンサーにおいて稼働するプログラムであって、該記憶部が保持する該見守りからの情報を、該ＣＰＵ部に加工処理し送信させるためのプログラム。
【請求項４１】
通信機器と、負荷分散装置と、コントローラ通信サーバと、ファイアーウォールと、生活状況監視・通知サーバと、データベースサーバと、課金管理サーバと、ダウンロードサーバと、ＷＷＷサーバと、メールサーバと、音声通知装置とから構成され、請求項１から請求項３１のいずれかの多数の見守りからの情報を送受信し処理する方法における、前記第二の工程で使用することができる機能を有するセンター装置。
【請求項４２】
コントローラ通信サーバと、生活状況監視・通知サーバと、データベースサーバと、課金管理サーバと、ダウンロードサーバと、ＷＷＷサーバと、メールサーバと、音声通知装置とを連動させる請求項４１のセンター装置において稼働するプログラム。
【請求項４３】
請求項１から請求項３１のいずれかの多数の見守りからの情報を送受信し処理する方法における前記第一の工程で使用することができる機能を有するコントローラと、前記第二の工程で使用することができる機能を有するセンター装置と、該コントローラと該センター装置の間の通信がインターネットプロトコルを用いた常時接続環境を有するＷＡＮおよび/またはＬＡＮとで構成されるシステムであり、対象となる見守りからの情報を該コントローラと該センター装置とで適当な割合において分担して加工処理することにより、多数の見守りからの情報を送受信し処理することを可能とするものであることを特徴とするシステム。
【請求項４４】
前記センター装置は前記コントローラのサービス状態を管理する機能を有し、該コントローラからの通信情報を受信した際に、サービス未開始状態である場合には、外部にサービス開始の通知をすることを特徴とする請求項４３のシステム。
【請求項４５】
前記コントローラは前記センター装置と一定間隔で通信を行い、前記センター装置は前記コントローラとの通信が一定時間以上途絶えた場合には、外部に通信異常の通知をすることを特徴とする請求項４３または４４のシステム。
【請求項４６】
前記コントローラと前記センター装置との通信が一定時間以上途絶えた後に、該コントローラと該センター装置との通信が復旧した場合には、該センター装置は外部に正常復旧の通知をすることを特徴とする請求項４３ないし４５のいずれかのシステム。
【請求項４７】
前記コントローラは一定間隔で該見守りからの情報を確認し、該見守りにおいて異常発生時には前記センター装置に異常情報を送信し、該センター装置は該異常情報を受信し、外部に異常発生の通知をすることを特徴とする請求項４３ないし４６のいずれかのシステム。
【請求項４８】
前記見守りにおいて異常が発生した後に、該見守りの異常が復旧した場合には、前記コントローラは前記センター装置に正常復旧情報を送信し、該センター装置は該正常復旧情報を受信し、外部に正常復旧の通知をすることを特徴とする請求項４３ないし４７のいずれかのシステム。
【請求項４９】
前記コントローラと前記センター装置との通信が暗号化されていることを特徴とする請求項４３のシステム。
【請求項５０】
前記コントローラと前記センター装置との通信および／または前記センター装置と前記外部との通信が暗号化されていることを特徴とする請求項４４ないし４８のいずれかのシステム。
【請求項５１】
前記通知手段がメールを送信すること、および／または、外部に電話をかけ、音声通知をすることであることを特徴とする請求項４４ないし４８のいずれかまたは請求項５０のシステム。
【請求項５２】
前記コントローラと、前記センター装置と、前記見守りを連動させる請求項４３ないし５１のいずれかのシステムにおいて稼働するプログラム。
【発明の詳細な説明】
【技術分野】
【０００１】
　本発明は、多数の見守りからの情報を送受信し処理する方法およびそれを実施するための装置に関する。
　本件の「多数の見守りからの情報」とは、多数の地点に存在または設置されている、
　　・建物や施設、構築物、設備や機器
　　・建物の内外に存在する人や動植物
を対象として、
　　・建物や施設（それぞれの内部や周辺を含む）、構築物、設備・機器の状態や稼働状況の把握、あるいは監視やモニタリング
　　・建物や施設、構築物への侵入者の検知
　　・人や動植物の状態や生活・活動状況の把握、あるいは監視・モニタリング
を行うために、
　　・建物や施設、構築物の内外ならびに設備・機器などに設置された各種センサーから得られる検知情報
　　・設備・機器の状態・稼働情報
などのことを言う。
　より具体的には、ひとり暮らしの高齢者の生活状態や活動状況の把握・モニタリング、夜間のビルや留守宅への侵入者の検知、あるいは道路の渋滞状況の把握等を行うために、主に建物の内外に設置されたセンサーが検知した人の動きや窓・ドアの開閉状態などの情報、電気機器が動作した回数や使用電力量などの情報、道路沿いの電柱等に取り付けられたセンサーや測定装置で検知した自動車の通過台数やその速度などの情報を収集するものであり、在宅時に人の動きや電気機器の動作がなければ高齢者の安否が気遣われ、また、夜間のビルや留守宅に人の動きがあれば侵入者が疑われる状況であること、さらには通過自動車数が少なくかつ速度も遅い場合には交通渋滞となっていると推測される状況であることなどを示す。きめ細かな見守りを行うためには、収集と同時、またはこれに準じる程度に随時、これらの情報を送信する必要があり、また、見守りの対象となる家庭や建物、設備・機器などが数万軒・数万箇所といった規模になる場合を想定すると、膨大な数の情報をセンター装置に送信する必要が生じることになる。
　本件の「見守りのための設定情報」とは、
　　・建物や施設（それぞれの内部や周辺を含む）、構築物、設備・機器の状態や稼働状況の把握、あるいは監視やモニタリング
　　・建物や施設、構築物への侵入者の検知
　　・人や動植物の状態や生活・活動状況の把握、あるいは監視・モニタリング
を行うために、
　　・建物や施設、構築物の内外ならびに設備・機器などに設置された各種センサーから得られる検知情報
　　・設備・機器の状態・稼働情報
が通常時と異なる時、対象物に何らかの異常が発生したと推測し、見守り者に警報を通知する場合の、これら見守りからの情報が異常時を示すと判定するための条件、および異常時であると判定されたときの警報の通知の要否や通知する場合の通知先の情報を言う。
　より具体的には、ひとり暮らしの高齢者の動きを検知しない時間の長さや、留守宅で人の動きを検知した場合の警報解除ボタンを押すまでの猶予時間の長さ、渋滞道路の自動車の速度などの情報であり、これらの条件を超過した場合に通知することを希望する場合に、予め設定された見守り者の通知先に警報を通知する。
【背景技術】
【０００２】
　文献１ないし３にあるように、従来各種のホームモニタリングサービスが開発されている。
　文献１には、ブルートゥース（登録商標）のような通信機能を各家電機器に組み込み、ホーム端末によって集中的に管理するシステムを応用し、特に高齢者世帯の生活態様を家電機器の使用態様から推測し、平時の生活態様と異なる使用態様が見られたときに健康障害、知的障害その他、何らかの異変が起こったと推定し、親族、保健所、介護センター等の特定のサイトへ電話、インターネット、その他の情報ネットワークを通じて自動的に通報する技術を提供すること、また、通信機能を各家電機器に組み込み、ホーム端末によって集中的に管理するシステムを応用し、契約家屋における種々の家電機器の使用態様に基づき、契約と異なるサービスの提供を強いられた場合や、逆に契約上のサービスを提供しなかった場合にそれを推定することができる技術を提供することを目的とする、家人ケアシステム、家人ケア用サーバー、ホーム端末、家人ケア方法、家人ケアプログラムを記録した媒体及び家電機器使用状況監視システムが開発されている。
　この家人ケアシステムは、自装置の稼働情報を外部に送信する通信機能を備えた家電機器と、前記家電機器及び情報ネットワークと接続され、前記家電機器と通信して使用情報を収集し、前記情報ネットワークを通じて特定の宛先に伝送するホーム端末と、前記情報ネットワークを通じて前記ホーム端末と接続され、前記家電機器の使用情報を分析し、該ホーム端末のユーザーの生活態様に異変が起きていないかどうか推定し、異変ありと推定したときに警報を出力する家人ケア用サーバーとを備えて成ることを特徴としている。
【０００３】
　文献２には、サービスセンタが扱う見守り対象者の情報の中には、対象者本人やその親族にとってオペレータに知られたくないものが含まれている場合があり、該事情に鑑みてなされた高齢者や病身者等の対象者を遠隔から見守るための管理装置が開発されている。生活見守り用管理装置は、見守られるべき対象者の宅に設置された宅内見守り装置と上記対象者を見守るべき複数の主体者の端末とを通信手段を介して中継する見守り用管理装置であって、上記宅内見守り装置から上記対象者の生活情報又は健康情報を受信する受信手段と、上記受信した情報を含む上記対象者の個人情報を蓄積する蓄積手段と、各主体者に応じて上記個人情報のうち閲覧を許容する項目を設定する設定手段と、上記端末から上記個人情報の閲覧の要求を、上記主体者を特定する情報と共に受け付ける受付手段と、上記主体者特定情報に基づいて上記蓄積手段の個人情報のうち上記設定手段で設定した閲覧許容項目に対応する部分のみを上記閲覧要求のあった端末に送信する送信手段とを備えたことを特徴としている。
【０００４】
　文献３では、監視対象者の家庭に設置する機器の点数を削減し、利用者の負担を軽減するとともに、多数の監視対象者を一元管理できるようにし、しかも、情報のセキュリティに配慮した生活モニターシステムが開発されている。生活モニターシステムは、家庭内の電気製品の操作情報または動作情報によって多数の家庭の生活状況を監視する生活モニターシステムにおいて、各家庭内に配設され、前記電気製品の操作または動作を検出するとともに送信先等の情報を記憶した監視ユニット、および、該監視ユニットによって検出した情報を第１通信網を介して家庭外に送信する送信手段と、前記送信手段から前記電気製品の情報を受信し、多数の監視対象者の情報を一元管理する情報蓄積手段と、前記情報蓄積手段の蓄積情報を表示可能に加工する加工手段と、前記加工手段によって加工したデータを外部から閲覧可能に表示する表示手段とを備え、前記監視ユニットに時計機能を設け、前記送信手段を介して情報を送信する時に日時情報を付加して送信するとともに、前記時計機能の日時情報を、商用電源に接続されて監視ユニットに電力が供給されると前記送信手段を介して前記情報蓄積手段に日時情報を要求し、該情報蓄積手段から送信された日時情報に基づいてカウントを開始するように構成している。
【特許文献１】特開２００２−９２７６７号公報
【特許文献２】特開２００２−１０９６６７号公報
【特許文献３】特許第３１９３３６３号明細書
【発明の開示】
【発明が解決しようとする課題】
【０００５】
　従来多数の見守りからの情報を送受信し処理する方法において、たとえば各種のホームモニタリングサービスのサービスには次のような課題がある。
　１．各家庭のセンサー情報を収集するためには、随時送られてくる大量の情報をデータセンターで受信し、処理する必要があり、次の(1)、(2)等の問題が生じていた。
　(1)従来のダイアルアップ回線（パケット交換、回線交換）または専用回線では、顧客の通信費用、センター側の設備費用等、費用負担が非常に大きい。
　(2)データセンターにおいて非常に大規模かつ高品質のコンピュータシステムを構築する必要がある。
　２．上記課題を解決するために、インターネット常時接続回線を通信手段として用いる場合、新たに次のような問題が生じる。
　(1)インターネット回線は、ダイヤルアップ回線や専用回線に比して、通信の到達保証がなく、不正アクセス等の危険性が相対的に高く、信頼性が低い。
　(2)常時接続回線について、現在のインターネット環境下の一般家庭では、ＩＰアドレスが固定化されない使用形態が通常であるため、データセンターからホームコントローラへの通信ができない場合がほとんどである。すなわち、データセンターからホームコントローラの設定を更新するためには、特別な機器や設定が必要となる。
　３．ホームモニタリングサービスに関しては、高齢者の見守りと留守宅のセキュリティ監視の両方を提供するシステムがないため、それぞれ構築する必要があり、特に留守宅のセキュリティ監視については、宅内で多数のセンサーや配線等の大規模な設置工事が必要となり、顧客の費用負担が大きい。
　４．高齢者見守りに関しては、見守る側の論理から言えば、常に高齢者を見守る必要があり、当然これを満たすシステムが構築されているため、見守られる側は、常に見守られていることを意識せざるを得ず、精神的苦痛を伴う等、高齢者のプライバシーに対する配慮が欠けている面がある。
　５．ホームモニタリングサービスまたはこれに関連するサービス（例えば緊急時の出動サービス）の提供事業者が抱える根本的問題としては、各サービスを提供するに当たって、まず各社各様のシステム・データセンターを構築・設置し、また、顧客に専用の宅内機器等を購入・設置してもらう必要があり、双方の初期投資の負担が大きい、という点がある。
【課題を解決するための手段】
【０００６】
　本発明は、上記課題を解決するために以下の構成を採用する。
　１．データセンターに送られてくる大量のデータの処理に関しては、
　(1)通信に関して、
　i)昨今、インフラ整備の進んでいるインターネットの常時接続回線を通信手段として用いることにより、費用負担を大幅に削減する。
　ii)通信トラフィック量を削減し、また集中化を防ぐことにより、データセンターの設備負担を軽減するため、次のような機能を持たせる。
　(a)各家庭内のセンサーの検知情報を収集して、データセンターに送信するために設置するホームコントローラに、送信情報をコントロールする機能を持たせる。
　　例１．検知情報を１分単位でデータ化する。
　　例２．即時に行う送信、２０分間蓄積した情報の送信、１時間毎の定期送信に分類する。
　　例３．上記例２の経過時間の起算点を、毎正時ではなく、事象発生（人検知）時、または最終通信時とすることにより、送信時間を家庭毎に自然に分散させる。
　(b)データセンターにおいて、不正アクセス防止のため、受信時に電子認証を行い、認証されなかったＩＰアドレスからの通信を一定時間拒否する機能を持たせる。また、その時間をアクセス回数に応じて幾何級数的に延長する。
　(2)処理に関して、
　データセンターにおいて、複数のサーバコンピュータを設置し、処理を分担かつ補充することにより、小規模な設備で高速な処理を可能とする。
　２．インターネットを通信手段として用いる場合に関して、
　(1)信頼性向上のために、
　i)ホームコントローラに再送機能を持たせることにより、通信を確実にする。
　ii)ホームコントローラ・データセンター間の通信データの暗号化を行い、また、データセンタで受信時に電子認証を行い、認証されなかったＩＰアドレスからの通信を一定時間拒否することにより、セキュリティの確保を行う。
　(2)一方向通信の問題点を解決するために、ホームコントローラからデータセンターに通信を行う時に、データセンターから必要なデータをダウンロードすることにより、あたかもデータセンターからホームコントローラに通信を行ったかのように、データのやり取りを実現する。
　３．ホームモニタリングサービスに関しては、
　(1)ホームコントローラにモードボタンを装備し、顧客がモードを設定し、モードに応じて通知などの設定条件が切り替わることにより、高齢者の見守りと留守宅のセキュリティ監視の両方に対応できるようにする。
　i)在宅モード→高齢者見守り…一定時間人検知がなければ通知
　ii)外出モード→留守宅のセキュリティ監視…人検知があれば通知
　(2)センサーを接続および内蔵したホームコントローラを開発し、最低収集点数の絞り込みを行うことで、設置工事を軽減する。
　４．高齢者の見守りに関しては、
　ホームコントローラに解除モードボタンを装備し、高齢者がこれを選択することにより、見守る側に情報提供しないように設定可能なシステムにする。同時に、見守る側にも解除モードが設定されていることを通知し、見守る側の不安感を取り除くなど、双方に配慮したシステムとする。
　５．モード設定機能を装備することにより、高齢者の見守り・留守宅のセキュリティ監視の両方に対応するシステムであると同時に、要望に応じて顧客の生活情報をカスタマイズして加工・提供することにより、さらに柔軟性・拡張性のあるシステムとすることができるので、他業者に対し、サービス提供のためのプラットホームとして、安価に使用させることができる。
【０００７】
　さらに、上記課題を解決するために、以下の構成を備えることを特徴とする。
　すなわち、本件の多数の見守りからの情報を送受信し処理する方法の発明は、上記課題を解決するために、
　請求項１の発明は、複数の手段により対象とする多数の見守りからの情報を加工処理し送信する第一の工程、第一の工程からの情報をインターネットプロトコルを用いた常時接続環境を有する通信手段で送信する工程、第一工程から通信手段を介して送信される情報を受信し蓄積し加工する機能を有する１以上の手段により加工処理する第二の工程からなり、対象とする多数の見守りからの情報を第一の工程と第二の工程とで適当な割合において分担して加工処理すること。
　請求項２の発明は、請求項１の多数の見守りからの情報を送受信し処理する方法において、第一の工程において、情報を送信する回数を削減し、送信時期を分散させ、および/または、送信した情報を受信側が受信する確度を高める処理加工をし、第二の工程において、情報を受信する回数を削減し、および/または、受信した情報の蓄積および加工を高速化する処理加工をすること。
　請求項３の発明は、請求項２の多数の見守りからの情報を送受信し処理する方法において、第一の工程において、受け取った情報を即時に送信するもの、一定時間蓄積した後に一括して送信するもの、または定期的に送信するものに分類して情報を送信することにより、情報を送信する回数を削減すること。
　請求項４の発明は、請求項２または３の多数の見守りからの情報を送受信し処理する方法において、第一の工程において、時刻ではなく、各手段に発生した事象を基準に、前記一定時間または前記定期を起算し、情報を送信する時期を手段毎に分散すること。
　請求項５の発明は、請求項２ないし４のいずれかの多数の見守りからの情報を送受信し処理する方法において、第一の工程において、受信されなかった情報を繰り返し送信することにより、送信した情報を受信側が受信する確度を高めること。
　請求項６の発明は、請求項２ないし５のいずれかの多数の見守りからの情報を送受信し処理する方法において、第二の工程において、情報の受信時に電子認証を行い、認証されずに受信を拒否した場合は、第一工程から通信手段を介して送信される情報の受信を一定時間拒否し、情報を受信する回数を削減すること。
　請求項７の発明は、請求項２ないし６のいずれかの多数の見守りからの情報を送受信し処理する方法において、第二の工程において、第一工程から通信手段を介する送信の過去の認証履歴に基づいて、第一工程から通信手段を介して送信される情報の受信を拒否する前記一定時間を幾何級数的に延長し、情報を受信する回数を削減すること。
　請求項８の発明は、請求項２ないし７のいずれかの多数の見守りからの情報を送受信し処理する方法において、第二の工程において、前記の１以上の手段を、負荷分散手段および／または複数の処理手段とし、該負荷分散手段が、受信する前記情報を、複数の該処理手段に振り分け、および／または、複数の該処理手段が情報を受信する機能、情報を蓄積する機能、情報を加工する機能を、それぞれ分担し、受信した情報の蓄積および加工を高速化すること。
　請求項９の発明は、請求項２ないし８のいずれかの多数の見守りからの情報を送受信し処理する方法において、第二の工程において、第一工程から通信手段を介して送信される情報を閲覧可能に加工処理し、外部からの要求に対して閲覧提供すること。
　請求項１０の発明は、請求項９の多数の見守りからの情報を送受信し処理する方法において、前記閲覧可能に加工処理した情報に対し、外部からの閲覧要求が予め設定された時間行われない場合には、外部に閲覧督促の通知をすること。
　請求項１１の発明は、請求項２ないし１０のいずれかの多数の見守りからの情報を送受信し処理する方法において、第二の工程において、受信し蓄積し加工した情報を定期的に前記外部に通知すること。
　請求項１２の発明は、請求項２ないし１１のいずれかの多数の見守りからの情報を送受信し処理する方法において、第二の工程において、第一工程から通信手段を介して送信される情報を、見守りのための設定情報に基づき、加工処理し、外部に通知すること。
　請求項１３の発明は、請求項１２の多数の見守りからの情報を送受信し処理する方法において、第二の工程において、外部からの要求に応じて前記見守りのための設定情報を変更すること。
　請求項１４の発明は、請求項２ないし１１のいずれかの多数の見守りからの情報を送受信し処理する方法において、第一の工程において、多数の見守りからの情報を、見守りのための設定情報に基づき、加工処理し、外部に通知するための情報を送信し、第二の工程において、該通知情報を加工処理し、外部に通知すること。
　請求項１５の発明は、請求項１４の多数の見守りからの情報を送受信し処理する方法において、第一の工程において、外部からの要求に応じて前記見守りのための設定情報を変更すること。
　請求項１６の発明は、請求項２ないし１５のいずれかの多数の見守りからの情報を送受信し処理する方法において、第一の工程において、多数の見守りからの情報を送信した際に、前記外部からの要求に応じて変更された見守りのための設定情報を取得すること。
　請求項１７の発明は、請求項２ないし１６のいずれかの多数の見守りからの情報を送受信し処理する方法において、在宅モード、外出モードまたは帰宅通知外出モードを選択するステップを有する第一の工程と、第一の工程で選択され、第一の工程から通信手段を介して送信される在宅モード、外出モードまたは帰宅通知外出モードのいずれかの情報に基づいて加工処理するステップを有する第二の工程を合わせ持つことで、在宅中の見守り、外出中の監視または帰宅の通知を行うことを可能とすること。
　請求項１８の発明は、請求項１７の多数の見守りからの情報を送受信し処理する方法において、前記第一の工程は、解除モードを選択するステップを有し、第一の工程で解除モードが選択されると、第一の工程から通信手段を介して送信される解除モードの情報に基づいて加工処理するステップを有する第二の工程を合わせ持つことで、情報の送受信を中断することを可能とすること。
　請求項１９の発明は、請求項１８の多数の見守りからの情報を送受信し処理する方法において、前記在宅モード選択時においては、帰宅通知外出モード、外出モードまたは解除モードの選択が可能であり、前記外出モード選択時においては、在宅モードまたは解除モードの選択が可能であり、前記帰宅通知外出モード選択時においては、在宅モードまたは解除モードの選択が可能であり、前記解除モードの選択時においては、在宅モード、外出モードまたは帰宅通知外出モードの選択が可能であること。
　請求項２０の発明は、請求項１９の多数の見守りからの情報を送受信し処理する方法において、前記外出モードから在宅モードまたは解除モードへの切り替えをする場合、および前記帰宅通知外出モードから在宅モードまたは解除モードへの切り替えをする場合において、パスワードの入力が必要であり、該パスワードが正しい場合のみモードの切り替えが行われること。
　請求項２１の発明は、請求項２０の多数の見守りからの情報を送受信し処理する方法において、前記パスワードの入力が、設定された回数連続して失敗した場合には、外部に認証失敗の通知をすること。
　請求項２２の発明は、請求項１７ないし２１のいずれかの多数の見守りからの情報を送受信し処理する方法において、前記在宅モード選択時において、設定した時間継続して任意の見守りからの人検知情報の送信がない場合、および／または、設定した任意の時間帯に任意の見守りからの人検知情報の送信がない場合には、外部に人未検知の通知をすること。
　請求項２３の発明は、請求項１７ないし２２のいずれかの多数の見守りからの情報を送受信し処理する方法において、前記在宅モード選択時において、任意の見守りからの人検知情報が送信された場合、および／または、解除モード、外出モードまたは帰宅通知外出モードのいずれかが選択された場合には、外部に人検知の通知をすること。
　請求項２４の発明は、請求項１７ないし２３のいずれかの多数の見守りからの情報を送受信し処理する方法において、前記外出モード選択時において、任意の見守りからの人検知情報が送信された場合には、外部に人検知の通知をすること。
　請求項２５の発明は、請求項１７ないし２４のいずれかの多数の見守りからの情報を送受信し処理する方法において、前記外出モードまたは前記帰宅通知外出モードの選択は、外部から前記常時接続環境を通じて行うことが可能であること。
　請求項２６の発明は、請求項２５の多数の見守りからの情報を送受信し処理する方法において、前記外部からの外出モードまたは帰宅通知外出モードの選択が成功した場合には、外部に設定完了の通知をすること。
　請求項２７の発明は、請求項１７ないし２６のいずれかの多数の見守りからの情報を送受信し処理する方法において、前記帰宅通知外出モード選択時において、在宅モードまたは解除モードのいずれかが選択された場合には、外部に帰宅の通知をすること。
　請求項２８の発明は、請求項１７ないし２７のいずれかの多数の見守りからの情報を送受信し処理する方法において、前記解除モードが選択された後から他のモードへの切り替えが設定した時間以上行われない場合には、外部に解除モード継続の通知をすること。
　請求項２９の発明は、請求項２ないし２８のいずれかの多数の見守りからの情報を送受信し処理する方法において、前記第一の工程は、前記常時接続環境から最新の加工処理手段を取得し、該加工処理手段を用いて複数の手段により対象とする多数の見守りからの情報を加工処理し送信すること。
　請求項３０の発明は、請求項２ないし２９のいずれかの多数の見守りからの情報を送受信し処理する方法において、前記第一の工程の稼働状況を記憶し、前記常時接続環境を介して定期的に該記憶した稼働状況を前記第二の行程へ送信すること。
　請求項３１の発明は、請求項２ないし３０のいずれかの多数の見守りからの情報を送受信し処理する方法において、前記の見守りからの情報が、各見守りからのセンサーの検知情報および/または電気機器の動作情報であること。
【０００８】
　また、本件のコントローラに係る請求項３２の発明は、上記課題を解決するために、ＣＰＵ部と、記憶部と、センサー部と、外部インタフェース部と、時計部と、操作部と、ブザー部と、状態表示部と、通信部とから構成され、請求項１から請求項３１のいずれかの多数の見守りからの情報を送受信し処理する方法における、前記第一の工程で使用することができる機能を有することを特徴としている。
　また、請求項３３の発明は、請求項３２のコントローラにおいて、前記記憶部は、コントローラ識別データと、動作データと、日時データと、ＩＰアドレスデータと、設定データと、外部インタフェース接続データと、コントローラ稼働ログデータと、ＬＡＮステータスデータとを保持し、前記ＣＰＵ部は該データを加工処理し送信することを特徴とする。
　また、請求項３４の発明は、請求項３２または３３のコントローラにおいて、在宅モード、外出モード、帰宅通知外出モードおよび解除モードを有することを特徴とする。
　また、請求項３５の発明は、請求項３４のコントローラにおいて、前記操作部は、押下すると予め設定したメールアドレスに連絡メールを送信する連絡ボタン兼認証パスワード入力キーである複数のボタンと、複数のモード設定スイッチとから構成されることを特徴とする。
　また、請求項３６の発明は、請求項３５のコントローラにおいて、前記複数のボタンは、在宅モードまたは解除モード選択時においては連絡ボタンとして機能し、外出モードまたは帰宅通知外出モード選択時においては認証パスワード入力キーとして機能することを特徴とする。
　また、請求項３７の発明は、請求項３５または３６のコントローラにおいて、前記モード設定スイッチは、在宅スイッチと、解除スイッチと、外出スイッチとから構成され、在宅モード選択時においては、外出スイッチを押下すると外出モードに切り替わり、解除スイッチを押下すると解除モードに切り替わり、外出スイッチを複数秒継続して押下すると帰宅通知外出モードに切り替わり、外出モード選択時においては、在宅スイッチを押下すると在宅モードに切り替わり、解除スイッチを押下すると解除モードに切り替わり、帰宅通知外出モード選択時においては、在宅スイッチを押下すると在宅モードに切り替わり、解除スイッチを押下すると解除モードに切り替わり、解除モード選択時においては、在宅スイッチを押下すると在宅モードに切り替わり、外出スイッチを押下すると外出モードに切り替わり、外出スイッチを複数秒継続して押下すると帰宅通知外出モードに切り替わることを特徴とする。
　また、請求項３８の発明は、請求項３２ないし３７のいずれかのコントローラにおいて稼働するプログラムであって、該記憶部が保持するコントローラ識別データと、動作データと、日時データと、ＩＰアドレスデータと、設定データと、外部インタフェース接続データと、コントローラ稼働ログデータと、ＬＡＮステータスデータとを、該ＣＰＵ部に加工処理し送信させることを特徴とする。
【０００９】
　さらにまた、本件のセンサーに係る請求項３９の発明は、赤外線による人検出部と、記憶部と、ＣＰＵ部と、外部インターフェース部から構成され、請求項３１の多数の見守りからの情報を送受信し処理する方法における、該見守りからの情報源であることを特徴とする。
　また、請求項４０の発明は、請求項３９のセンサーにおいて稼働するプログラムであって、該記憶部が保持する該見守りからの情報を、該ＣＰＵ部に加工処理し送信させることを特徴とする。
【００１０】
　さらにまた、本件のセンター装置に係る請求項４１の発明は、通信機器と、負荷分散装置と、コントローラ通信サーバと、ファイアーウォールと、生活状況監視・通知サーバと、データベースサーバと、課金管理サーバと、ダウンロードサーバと、ＷＷＷサーバと、メールサーバと、音声通知装置とから構成され、請求項１から請求項３１のいずれかの多数の見守りからの情報を送受信し処理する方法における、前記第二の工程で使用することができる機能を有することを特徴とする。
　また、請求項４２の発明は、請求項４１のセンター装置において稼働するプログラムであって、請求項１から請求項３１のいずれかの多数の見守りからの情報を送受信し処理する方法における、前記第二の工程で使用するためのプログラムであって、コントローラ通信サーバと、生活状況監視・通知サーバと、データベースサーバと、課金管理サーバと、ダウンロードサーバと、ＷＷＷサーバと、メールサーバと、音声通知装置とを連動させることを特徴とする。
【００１１】
　また、本件のシステムに係る請求項４３の発明は、請求項１から請求項３１のいずれかの多数の見守りからの情報を送受信し処理する方法における前記第一の工程で使用することができる機能を有するコントローラと、前記第二の工程で使用することができる機能を有するセンター装置と、該コントローラと該センター装置の間の通信がインターネットプロトコルを用いた常時接続環境を有するＷＡＮおよび/またはＬＡＮとで構成されるシステムであり、対象となる見守りからの情報を該コントローラと該センター装置とで適当な割合において分担して加工処理することにより、多数の見守りからの情報を送受信し処理することを可能とするものであることを特徴とする。
　また、請求項４４の発明は、請求項４３のシステムにおいて、前記センター装置は前記コントローラのサービス状態を管理する機能を有し、該コントローラからの通信情報を受信した際に、サービス未開始状態である場合には、外部にサービス開始の通知をすることを特徴とする。
　また、請求項４５の発明は、請求項４３または４４のシステムにおいて、前記コントローラは前記センター装置と一定間隔で通信を行い、前記センター装置は前記コントローラとの通信が一定時間以上途絶えた場合には、外部に通信異常の通知をすることを特徴とする。
　また、請求項４６の発明は、請求項４３ないし４５のいずれかのシステムにおいて、前記コントローラと前記センター装置との通信が一定時間以上途絶えた後に、該コントローラと該センター装置との通信が復旧した場合には、該センター装置は外部に正常復旧の通知をすることを特徴とする。
　また、請求項４７の発明は、請求項４３ないし４６のいずれかのシステムにおいて、前記コントローラは一定間隔で該見守りからの情報を確認し、該見守りにおいて異常発生時には前記センター装置に異常情報を送信し、該センター装置は該異常情報を受信し、外部に異常発生の通知をすることを特徴とする。
　また、請求項４８の発明は、請求項４３ないし４７のいずれかのシステムにおいて、前記見守りにおいて異常が発生した後に、該見守りの異常が復旧した場合には、前記コントローラは前記センター装置に正常復旧情報を送信し、該センター装置は該正常復旧情報を受信し、外部に正常復旧の通知をすることを特徴とする。
　また、請求項４９の発明は、請求項４３のシステムにおいて、前記コントローラと前記センター装置との通信が暗号化されていることを特徴とする。
　また、請求項５０の発明は、請求項４４ないし４８の何れかのシステムにおいて、前記コントローラと前記センター装置との通信および／または前記センター装置と前記外部との通信が暗号化されていることを特徴とする。
　また、請求項５１の発明は、請求項４４ないし４８のいずれかまたは請求項５０のシステムにおいて、前記通知手段がメールを送信すること、および／または、外部に電話をかけ、音声通知をすることであることを特徴とする。
　また、請求項５２の発明は、請求項４３ないし５１のいずれかのシステムにおいて稼働するプログラムであって、請求項１から請求項３１のいずれかの多数の見守りからの情報を送受信し処理するためのプログラムであって、前記コントローラと、前記センター装置と、前記見守りを連動させることを特徴とする。
【発明の効果】
【００１２】
　本発明の方法によれば、従来、銀行のオンライン処理のように、大型汎用コンピュータを必要とした多数の見守りからの情報の送受信ならびに加工処理について、安価なサーバコンピュータを使用して、高品質を保ったまま送受信し、加工・処理することが可能となる。
　すなわち、送信する側においては、送信する情報の量や送信回数を削減したり、送信時期を分散することによって、通信トラフィック量の軽減や特定時間への集中回避をはかり、受信して加工処理する側においても、通信処理の高速化に加えて、不要な情報の受信回数を削減したり、受信した情報を分散して複数で加工処理することによって、膨大な量の見守りからの情報の処理を著しくスピーディかつ高品質で行うことを可能とし、よりきめ細かな分析や見守りを実現する。
　また、本発明の方法によれば、データセンターが多数のコントローラをあたかも特定して通信しているようにすることが可能で、加えて受信されなかった情報を繰り返し送信したり、受信の確度を高めたり、不正なアクセスを拒否したりすることにより、膨大な見守りからの情報の送受信や加工処理について、信頼性を保つとともに、セキュリティを確保したまま実施することが可能となる。
　そして、本発明の方法によれば、警報の通知先や情報の収集周期を外部から変更できることから、人や動植物であれば生活や活動状況、設備や機器であれば稼働状況に合わせた見守りや監視、利用者の要望に応じた通知条件の設定の変更などが可能であり、状況の変化や新たな要望があった場合でも柔軟に対応することができる。
　さらに、本発明の方法によれば、高齢者の在宅中の見守りと留守宅の見守り・侵入者の監視などを同じシステムで行うことが可能であり、また、見守られている人の意思で、見守りの状態を解除できるなど、プライバシーにも十分配慮することができる。
【発明を実施するための最良の形態】
【００１３】
　以下に、本発明の好ましい実施の形態について、図を使って説明する。
　本発明を高齢者等の生活見守りおよび留守宅の見守りに適用し、宅内に設置するコントローラ、ここではホームコントローラと遠距離にあってセンター装置を有するデータセンター間の通信にインターネット常時接続回線を使用し、また、住宅に設置するセンサーとして人検知センサーを使用した場合において説明する。
　以下の説明において、高齢者等の生活見守りにおいては、住宅に居住する高齢者等見守られる側を使用者といい、高齢者等を見守る側の家族または親族等を見守り者という。また、留守宅の見守りにおいては、住宅の居住者が在宅状態の場合は使用者といい、外出状態の場合は見守り者という。
【００１４】
　《全体のシステム構成》
　図１は、ホームモニタリングシステムの全体構成を示す１例である。
このホームモニタリングシステムは、大別してサービスプラットフォーム１００とサービス事業者１６０で構成される。
　サービスプラットフォーム１００は、使用者宅１１０に設置する人検知センサー１１１およびホームコントローラ１１２、インターネット網１２０、電話網１３０、データセンター１４０にあるデータセンター装置１４１、見守り者１５０のパソコン１５１および／または携帯電話１５２および／または固定電話１５３で構成され、基本サービスを行ったり、受けたりするために必要である。なお、データセンター１４０は、ホームコントローラのファームウェアをインターネット常時接続回線経由で提供するダウンロードセンターを兼ねる構成としているが、別途ダウンロードセンターを設置する構成も可能である。
　サービス事業者１６０は使用者および見守り者に対し付加価値サービスを提供する介護支援会社、警備会社等であり、パソコン１６１および／または携帯電話１６２および／または固定電話１６３で構成される。
【００１５】
　〈使用者宅〉
　人検知センサー１１１は使用者宅１１０に設置され、使用者または侵入者等の人検知データを有線および／または無線などの専用線で接続されたホームコントローラ１１２へ送信する。ホームコントローラ１１２へ接続可能なセンサーの数は、内蔵人検知センサーおよび外付け人検知センサーを含め１以上を接続することが可能である。また、ホームコントローラへ接続できる機器は人検知センサーに限らず、火災センサー、開閉センサー、ユーザインターフェース機器等でもよい。
　ホームコントローラ１１２は、インターネット常時接続回線でインターネット網１２０に接続され、内蔵および／または外付けの人検知センサーから受信した人検知データ、使用者がホームコントローラ１１２のモード設定スイッチを操作して設定する解除／在宅／外出／帰宅通知外出モードへのモード切替データ、およびこれらのデータとデータセンター装置１４１から受け取った通知条件データをもとにホームコントローラ１１２が判定する通知データ等をデータセンター装置１４１へ送信する。また、ホームコントローラ１１２が正常に稼働していることを伝えることを目的としてデータセンター装置１４１へ定期通信データを送信する。
　図１には表示していないが、ホームコントローラをインターネット常時接続回線と接続するためには、インターネット常時接続回線の回線種別（例えば、ＡＤＳＬインターネット、ＣＡＴＶインターネット等）およびこれに接続する本発明用途以外の機器（例えば、固定電話、パソコン等）に応じてＡＤＳＬモデム、スプリッタ、ケーブルモデム、ＨＵＢ、ルータ等必要となる機器を設置する。
ただし、ホームコントローラとデータセンター装置との通信において、ここではインターネット常時接続回線で説明するが、通信回線は必ずしもこれに限定されるものでなく、インターネットプロトコルを用いた通信方式であれば他の通信回線のＷＡＮおよび／またはＬＡＮであってもよい。
【００１６】
　図２２は、外付け人検知センサーのハードウェア構成を示す１例である。
　人検知センサーは、赤外線センサーによる人検出部１１０１、揮発性メモリ、不揮発性メモリおよびＣＰＵを内蔵するマイコン部１１０２、人検知センサーの動作状況を表示するＬＥＤを有する表示部１１０３およびホームコントローラとの通信を行う外部インターフェース部１１０４から構成される。なお、人検知センサーの電源はホームコントローラ１１０５から供給される。
　図２３は、外付け人検知センサーの機能構成を示す１例である。
　起動処理機能１２０１は、電源起動により最初に実行される処理であり、メモリチェック等の自己診断を行う。
　人検知判定機能１２０３は、人検出部からのデータおよび設定された検知条件に基づいて、人の有無を判定し、設定に従い表示部を制御する。
　イベント発生機能１２０５は、人検知判定結果に基づいて人検知時または不検知時にイベントを発生させる。
　設定値記憶機能１２０２は、ホームコントローラから受信した機器種別コードおよび検知条件に関するデータ等をメモリに記憶する。電源断の場合でも値は保持される。
　状態記憶機能１２０４は、現在の人検知状態、および起動後ホームコントローラに対して割込要求を行った回数をメモリに記憶する。
　外部インターフェース通信機能１２０６は、外部インターフェース部に接続されるホームコントローラと通信を行うもので、人検知または不検知時にホームコントローラに割込要求を発生させる機能、およびホームコントローラからのメッセージを受信し、それに対して応答メッセージを送信する。
【００１７】
　図２は、ホームコントローラ１１２の構成を示す１例である。
ホームコントローラ１１２は、ＣＰＵ部２００、プログラム記憶部２０１、一時データ記憶部２０２、固定データ記憶部２０３、内蔵人検知センサー部２０４、外部インターフェース部２０５、時計部２０６、操作部２０７、ブザー部２０８、状態表示部２０９、データセンター通信部２１０で構成される。
　プログラム記憶部２０１に格納されたアプリケーションプログラムは、ホームコントローラ起動とともにＣＰＵ部２００で稼働し、外部インターフェース部２０５、ブザー部２０８、データセンター通信部２１０等他部の制御を実行するとともに、一時データ記憶部２０２に予め設定および／または格納されている人検知データ、モード切替データ、日時データ、および通知条件データ等により通知判定を行い通知データを一時データ記憶部２０２に格納する。また、アプリケーションプログラムは、データセンター通信部２１０によりデータセンター装置から受信したファームウェアバージョンが一時データ記憶部２０２に保持する現在ファームウェアバージョンと異なる場合、ファームウェアのバージョンアップ処理を行い、ファームウェアバージョンアップ結果データを一時データ記憶部２０２に格納する。また、アプリケーションは、データセンター通信部２１０によりデータセンター装置から受信した内部データアップロードカウンターが一時データ記憶部に保持する内部データアップロードカウンターと異なっている場合、内部データを作成し、一時データ記憶部２０２に格納する。また、アプリケーションプログラムは、データセンター通信部２１０によりデータセンター装置から受信したモード設定要求値が現在モードと異なる場合、モード変更を行い、モード切替データを一時データ記憶部２０２に格納する。また、アプリケーションプログラムは、データセンター装置との通信における暗号化・復号化処理および電子署名データの作成処理等も行う。
　内蔵人検知センサー部２０４の人検知センサーおよび／または外部インターフェース部２０５に接続された外付けの人検知センサーにより検知された人検知データは、アプリケーションプログラムにより時計部２０６から受け取った日時データとともに一時データ記憶部２０２に格納される。
　固定データ記憶部２０３には、予め設定されたホームコントローラ１１２の識別ＩＤ、データセンター通信用パスワード、１以上のデータセンターＩＰアドレス、１以上のダウンロードセンターＩＰアドレス等が格納されている。データセンターＩＰアドレスおよびダウンロードセンターＩＰアドレスについては、データセンター装置から受け取った設定データのデータセンターＩＰアドレスおよびダウンロードセンターＩＰアドレスで変更することが可能である。
　操作部２０７は、解除、在宅および外出の各モード設定スイッチ、認証パスワード入力キー（連絡ボタン兼用）を備える。図２４は操作部２０７の実装の一態様を示している。使用者がモード設定スイッチを操作してモードを切り替えると、アプリケーションプログラムは時計部２０６から受け取った日時データとともにモード切替データを一時データ記憶部２０２に格納する。　また、認証パスワード入力キーは、外出または帰宅通知外出モードから在宅または解除モードへの切替時に必要となる認証パスワードの入力に使用する。アプリケーションプログラムは、入力された認証パスワードと一時データ記憶部２０２に格納されている認証パスワードと比較し、一致すればブザー部２０８を制御し認証完了音を、一致しなければ認証異常音を鳴動させる。また、外出または帰宅通知外出モードで人検知センサーが人検知を検出した場合、アプリケーションプログラムは侵入者検知状態と判定し、状態表示部２０９のＬＥＤを制御し侵入者検知状態を表示し、ブザー部２０８を制御し警報音を鳴動させる。人検知後、設定データ「帰宅時猶予時間」内に正しい認証パスワード（一時データ記憶部２０２に格納されている認証パスワード）が入力され、在宅または解除モードへモード切替操作が行われると、住人の帰宅と判定し、ＬＥＤによる侵入者検知状態の表示および警報音の鳴動を停止する。認証パスワード入力キーは、在宅および解除モードにおいては、連絡ボタンとして機能する。これらのモードにおいて、使用者が連絡ボタンを一定時間（例えば、２秒）以上継続して押下すると、アプリケーションプログラムはブザー部２０８を制御し連絡通知音を鳴動させるとともに、時計部２０６から受け取った日時データとともに連絡通知データを作成し、一時データ記憶部２０２に格納する。認証パスワード入力キーと連絡ボタンを共用し、モードによって異なる機能を割り当てることでホームコントローラの操作性と機能性を両立させている。
【００１８】
　図２５は、モードの遷移を表している。
　解除モードＭ１００においては、
　・在宅のモード設定スイッチを押下することにより、在宅モードＭ１０１へ
　・外出のモード設定スイッチを押下することにより、外出モードＭ１０２へ
　・外出のモード設定スイッチを一定時間（例えば、２秒以上）継続して押下することにより、帰宅通知外出モードＭ１０３へ
遷移する。
　在宅モードＭ１０１においては、
　・解除のモード設定スイッチを押下することにより、解除モードＭ１００へ
　・外出のモード設定スイッチを押下することにより、外出モードＭ１０２へ
　・外出のモード設定スイッチを一定時間（例えば、２秒以上）継続して押下することにより、帰宅通知外出モードＭ１０３へ
遷移する。
　外出モードＭ１０２および帰宅通知外出モードＭ１０３においては、
　・認証パスワード入力キーにより認証パスワードを入力後、解除のモード設定スイッチを押下することにより、解除モードＭ１００へ
　・認証パスワード入力キーにより認証パスワードを入力後、在宅のモード設定スイッチを押下することにより、在宅モードＭ１０１へ
遷移する。
【００１９】
　状態表示部２０９は、モード設定スイッチにより設定されたモード状態、電源ＯＮ／ＯＦＦ状態、侵入者検知状態、通信異常状態、ホームコントローラ異常状態等を表示するＬＥＤを備える。
　データセンター通信部２１０は、アプリケーションプログラムより一時データ記憶部２０２を経由して受け渡されたモード切替データ、人検知データ、通知データ、定期通信データ、ファームウェアバージョンアップ結果データ、ホームコントローラの内部データ等をデータセンター装置へ送信するとともに、データセンター装置からシステムパラメータおよび通知条件データ等の設定データを受信し、アプリケーションプログラムへ受け渡し、アプリケーションプログラムは一時データ記憶部２０２および／または固定データ記憶部２０３に格納するとともに、システムパラメータの現在日時データについては時計部２０６の日時と比較し、設定された秒数（例えば、１０秒）以上の差異がある場合は時計部２０６へ設定し、データセンター装置との時刻同期を行う。なお、データセンター装置との通信が正常に完了しない場合は再送処理を行う。
　なお、設定データとしては、在宅モード時の人検知データの蓄積・送信方法を規定する「在宅時データサンプリング時間」、「在宅時データ蓄積時間」、定期通信の時間間隔を規定する「定期通信間隔」、通信先を規定する「データセンターＩＰアドレス」および「ダウンロードセンターＩＰアドレス」、データセンター装置との時刻同期を規定する「現在日時データ」等のシステムパラメータと、データセンター装置への通知データの送信を規定する「一定時間人未検知監視設定」、「一定時間人未検知監視時間」等の通知条件データ、宅外からインターネット経由でモード設定を行うための「モード設定要求値」およびファームウェアバージョンアップを行うための「ファームウェアバージョン」等がある。
　図２には表示していないが、停電時でも時計部２０６の動作および揮発性メモリ（ＳＲＡＭ等）により実装する一時データ記憶部２０２のデータを保護する停電時バックアップ電源（スーパキャパシタ等）を装備する。なお、固定データ記憶部２０３は不揮発性メモリ（ＦＲＯＭ等）により実装するため、停電時のデータ保護は必要ない。
【００２０】
　次に、ホームコントローラ起動時の動作について説明する。
　図３は、ホームコントローラ起動時の処理の流れの１例である。
　停止状態からステップＳ１００で電源ＯＮを行うと、ステップＳ１０１のハードウェアチェックでは、メモリチェック、周辺装置の初期化および機能チェック、停電時データバックアップチェック等を行う。次に、ステップＳ１０２のＩＰアドレス取得はＤＨＣＰによるホームコントローラのＩＰアドレスの取得を行う。次に、ステップＳ１０３の起動通信では、ホームコントローラが起動したことをデータセンター装置へ通知する起動通知データを送信する。ステップＳ１０４の時刻同期では、データセンター装置からの応答データに含まれる現在日時データと時計部の日時を比較し、設定された秒数（例えば、１０秒）以上差異がある場合は時計部の日時を補正し、データセンター装置と時刻同期を行う。次に、ステップＳ１０５の設定データ取得では、データセンター装置からの応答データに含まれる設定データ更新日時がホームコントローラの一時データ記憶部に格納している設定データ更新日時より新しい場合、データセンター装置へ設定データ取得通信を行い、最新の設定データを取得し、一時データ記憶部および／または固定データ記憶部に格納する。
【００２１】
〈データセンター〉
　図１におけるデータセンター装置１４１は、インターネット常時接続回線でインターネット網１２０に、電話回線で電話網１３０に接続され、ホームコントローラ１１２から人検知データ、モード切替データ、通知データ、定期通信データ等を受け取り、予め見守り者１５０またはサービス事業者１６０により設定された通知条件データに基づき通知判定（例えば、外出モード時に設定データ「帰宅時猶予時間」内にモード切替データを受信しなかったという状態の判定）を行い、通知要と判定した場合、予め設定された通知先（見守り者１５０および／またはサービス事業者１６０）へ電子メールおよび／または電話音声で通知を行う。　また、ホームコントローラ１１２から受け取った人検知データ、モード切替データ、通知データ等を使用者ごとの生活状況情報として加工・蓄積し、見守り者１５０およびサービス事業者１６０へ生活状況情報を提供する。
【００２２】
　図４は、データセンター装置１４１の構成を示す１例である。
　図４に示すデータセンター装置１４１は、ルータ３００および３０１、負荷分散装置３０２および３０３および３１３、ホームコントローラ通信サーバ３０４、ファイアウォール３０５、生活状況監視・通知サーバ３０６、ＤＢサーバ３０７、課金管理サーバ３０８、ＷＷＷサーバ３０９、メールサーバ３１０、音声通知装置３１１、管理用パソコン３１２、ダウンロードサーバ３１４で構成され、各装置および各サーバ等の間はＬＡＮで接続される。なお、ホームコントローラ通信サーバ３０４、生活状況監視・通知サーバ３０６、ＷＷＷサーバ３０９およびダウンロードサーバ３１４については、ホームコントローラ数の増加に伴う処理負荷の増に合わせて増設し、図中ではａ〜ｎのサフィックスを付して表記している。
　ホームコントローラと通信を行うホームコントローラ通信サーバ３０４は、ルータ３００および負荷分散装置３０２を経由してインターネット網とインターネット常時接続回線で接続される。負荷分散装置３０２は、多数のホームコントローラからの通信による通信処理負荷が均等になるよう各ホームコントローラ通信サーバ３０４ａ〜３０４ｎに振り分ける処理を行う。ホームコントローラ通信サーバ３０４は、ホームコントローラとの通信接続時の電子署名データに基づく認証を行い、認証されたホームコントローラとの通信データの暗号化および復号化を行う。また、復号化したホームコントローラからのデータを生活状況監視・通知サーバ３０６へ受け渡すとともに、ＤＢサーバ３０７からホームコントローラへの設定データを受け取り、暗号化してホームコントローラへ送信する。各ホームコントローラ通信サーバ３０４は、個々のホームコントローラに依存せず、全てのホームコントローラとの通信処理を行えるような機能としており、複数台のホームコントローラ通信サーバ３０４ａ〜３０４ｎのうち１台または複数台が障害等により停止しても、他のホームコントローラ通信サーバが処理を継続することが可能である。　生活状況監視・通知サーバ３０６は、ホームコントローラ通信サーバ３０４から人検知データ、モード切替データ、通知データおよび定期通信データ等の受信データを受け取り、使用者ごとにデータを分類、加工し、生活状況データとして蓄積、保管する。また、受信データのうち、必要な項目についてはＤＢサーバ３０７へ送信し、ＤＢで管理するとともに、見守り者が設定した通知条件に基づき受信データを解析し、通知の要否を判定する。通知が必要と判定した場合、通知条件データの設定内容に応じて、メールサーバ３１０および／または音声通知装置３１１へ通知要求データを連携する。
　ＤＢサーバ３０７は使用者、見守り者、ホームコントローラ等のデータを管理し、ホームコントローラ通信サーバ３０４、生活状況監視・通知サーバ３０６、ＷＷＷサーバ３０９とデータ連携を行う。
　課金管理サーバ３０８は、ＤＢサーバ３０７等と連携してお客さまごとのサービス利用実績に応じた課金情報の管理を行う。
　ＷＷＷサーバ３０９は、ルータ３０１および負荷分散装置３０３を経由してインターネット網とインターネット常時接続回線で接続され、見守り者またはサービス事業者がＷＷＷブラウザから入力した通知条件データを受け取る。受け取った通知条件データはＤＢサーバ３０７へ連携してＤＢで管理される。また、見守り者またはサービス事業者のＷＷＷブラウザからの要求に基づき、生活状況監視・通知サーバ３０６で保管する生活状況データを見守り者またはサービス事業者が視覚的に理解しやすい形式に加工して表示する。なお、ＷＷＷサーバ３０９とＷＷＷブラウザ間の通信はＳＳＬにより暗号化されている。また、負荷分散装置３０３は、ＨＴＴＰによる処理負荷が均等になるように各ＷＷＷサーバ３０９ａ〜３０９ｎに振り分ける処理を行う。
　メールサーバ３１０は、生活状況監視・通知サーバ３０６からの通知要求データを受け取り、設定された通知先へインターネット網を経由して電子メールによる通知を行う。
　音声通知装置３１１は、生活状況監視・通知サーバ３０６からの通知要求データを受け取り、設定された通知先へ電話網を経由して音声通知を行う。ただし、ここでは電話網としているが、音声通知が可能な通信網であればよく、インターネット電話の普及に応じてインターネット網を利用することも可能である。
　管理用パソコン３１２は、運用者が運用監視・保守等に用いるパソコンである。
　ダウンロードサーバ３１４は、ルータ３００および負荷分散装置３１３を経由してインターネット網とインターネット常時接続回線で接続され、ホームコントローラからファームウェアダウンロード要求を受け取り、指定されたバージョンのファームウェアをダウンロードするサービスを提供する。ホームコントローラは、指定したバージョンのファームウェアをインターネット常時接続回線経由で受信し、旧バージョンのファームウェアから受信したバージョンのファームウェアに置き換えることでバージョンアップが可能となる。
【００２３】
　ルータ３００および３０１、負荷分散装置３０２および３０３および３１３、ファイアウォール３０５、ＤＢサーバ３０７、課金管理サーバ３０８、ＷＷＷサーバ３０９、メールサーバ３１０、音声通知装置３１１、管理用パソコン３１２およびダウンロードサーバ３１４は、一般的に使用されるハードウェアおよび／またはソフトウェアで構成されるため説明を省略し、ホームモニタリングサービス用にアプリケーションソフトウェアを開発したホームコントローラ通信サーバ３０４および生活状況監視・通知サーバ３０６について説明する。また、ＷＷＷサーバ３０９の生活状況情報の提供方法について説明する。
【００２４】
　最初に、ホームコントローラ通信サーバの構成を説明する。図５は、ホームコントローラ通信サーバの構成を示す１例である。
　ホームコントローラ通信サーバ３０４は、データ受信部４００、データ送信部４０１、コネクション管理部４０２、セキュリティ管理部４０３、データ処理部４０４、受信データ連携部４０５、設定データ連携部４０６から構成される。
データ受信部４００は、ホームコントローラとのＴＣＰコネクションの確立およびデータ受信、コネクション管理部４０２と連携したコネクション情報（ホームコントローラ識別ＩＤ、シーケンス番号、ＩＰアドレス、ポート番号、最終通信日時等）の登録、セキュリティ管理部４０３と連携した受信データの認証および復号化、受信データからのヘッダデータ削除等のデータ編集、データ送信部４０１への応答データの連携、データ処理部４０４への受信データの連携、不正アクセスの防止等の処理を行う。
　データ送信部４０１は、データ受信部４００およびデータ処理部４０４から受け取った応答データのヘッダデータ付加等のデータ編集、セキュリティ管理部４０３と連携した応答データの暗号化、ホームコントローラへの応答データの送信、コネクション管理部４０２と連携したコネクション情報の削除、ＴＣＰコネクションのタイムアウト監視等の処理を行う。
　コネクション管理部４０２は、データ受信部４００およびデータ送信部４０１と連携して、ホームコントローラとのコネクション情報の管理を行う。
　セキュリティ管理部４０３は、データ受信部４００と連携してホームコントローラの認証およびデータの復号化の処理を、データ送信部４０１と連携してデータの暗号化の処理を行う。また、データ処理部４０４から受け取ったホームコントローラ認証データの管理を行う。
　データ処理部４０４は、データ受信部４００から受信データを受け取り、受信データ連携部４０５へ受信データを連携するとともに、応答データを作成し、データ送信部４０１へ連携する。また、設定データ連携部４０６からホームコントローラへの設定データおよびホームコントローラ認証データを受け取り、設定データの管理およびセキュリティ管理部４０３へのホームコントローラ認証データの連携等を行う。
　受信データ連携部４０５は、データ処理部４０４から受信データを受け取り、生活状況監視・通知サーバへ連携する。
　設定データ連携部４０６は、ＤＢサーバからホームコントローラへの設定データおよびホームコントローラ認証データを受け取り、データ処理部４０４へ連携する。
【００２５】
　次に、生活状況監視・通知サーバの構成を説明する。図６は、生活状況監視・通知サーバの構成を示す１例である。
　生活状況監視・通知サーバ３０６は、受信データ解析部５００、ステータス管理部５０１、監視部５０２、通知・ＤＢアクセス部５０３、生活状況データ作成部５０４から構成される。
　受信データ解析部５００は、ホームコントローラ通信サーバから受信データを受け取り、ホームコントローラの現在モード、通知種別ごとの通知日時、最終通信日時等をホームコントローラステータス更新データとしてステータス管理部５０１へ出力する。受信データが、ホームコントローラが通知判定を行った一定時間人未検知通知データ、特定時間帯人未検知データ等の通知データの場合は通知要求データを作成し、通知・ＤＢアクセス部５０３へ連携する。受信データが人検知データ、モード切替データ等の場合はステータス管理部５０１の通知条件データ等により、在宅時人検知通知、帰宅通知等の通知判定を行い、通知が必要と判定した場合に通知要求データを作成し、通知・ＤＢアクセス部５０３へ連携する。受信データが設定データ取得完了データの場合は、設定データ取得完了日時の更新要求を通知・ＤＢアクセス部５０３へ連携する。また、人検知データ、モード切替データ等を生活状況データ作成要求データとして生活状況データ作成部５０４へ出力する。
　ステータス管理部５０１は、見守り者またはサービス事業者が設定する通知種別ごとの通知要否、解除モード監視時間および帰宅時猶予時間等の通知条件、運用管理者が設定するシステムパラメータ（ホームコントローラ通信異常監視時間等）、現在モード、最終通信日時等のホームコントローラの最新状態を保持するステータステーブルを管理し、通知判定のためのデータ管理を行う。受信データ解析部５００、監視部５０２およびＷＷＷサーバ等がステータステーブルの登録・更新・削除・参照等を行い、通知判定や最新データの参照等の処理に使用する。
　監視部５０２は、ステータステーブルの通知種別ごとの通知日時を一定時間間隔で監視し、現在日時が通知日時を経過した場合に通知要求データを作成し、通知・ＤＢアクセス部５０３へ連携する。監視内容としては、外出時人検知通知の通知日時、ホームコントローラ通信異常通知および生活状況未閲覧通知等の通知日時である。
　通知・ＤＢアクセス部５０３は、受信データ解析部５００および監視部５０２より通知要求データを受け取り、電子メール送信要求データおよび音声通知要求データを作成し、メールサーバおよび音声通知装置へ連携する。また、通知実績データを生活状況データ作成部５０４へ生活状況データ作成要求データとして出力する。
　生活状況データ作成部５０４は、受信データ解析部５００から人検知データ、モード切替データ等を、通知・ＤＢアクセス部５０３から通知実績データを生活状況データ作成要求データとして受け取り、使用者ごとの生活状況データを作成し、生活状況データファイル５０５として保管する。
【００２６】
　次に、ＷＷＷサーバについて説明する。
　ＷＷＷサーバ３０９は、見守り者またはサービス事業者からのＷＷＷブラウザによる要求に基づき、生活状況監視・通知サーバ３０６の生活状況データファイル５０５およびステータステーブルより、使用者のモード設定情報、人検知情報等の生活状況および通知履歴等の照会画面を作成し、提供する。
【００２７】
　〈見守り者〉
　見守り者１５０は、パソコン１５１および／または携帯電話１５２を使用して、データセンター装置１４１から送られてくる通知情報を電子メールにより受信する。同様に、携帯電話１５２および／または固定電話１５３を使用して、データセンター装置１４１から送られてくる通知情報を電話音声により受信する。
　見守り者１５０は、パソコン１５１および／または携帯電話１５２を使用して、ＷＷＷブラウザによりデータセンター装置１４１が提供する使用者の生活状況の照会、およびデータセンター装置１４１に対する通知条件の登録等を行う。また、見守り者１５０は、必要に応じて携帯電話１５２および／または固定電話１５３を使用して、サービス事業者１６０へ使用者の生活状況確認依頼や留守宅への緊急出動依頼等のサービス要請連絡を行う。
　なお、見守り者がメールを送受信したり、閲覧や登録等を行うための端末は、携帯電話やパソコンの他に、ＰＤＡなどメール機能やインターネット接続機能、Ｗｅｂ機能を有しているものであってもよい。
【００２８】
　〈サービス事業者〉
　サービス事業者１６０は、パソコン１６１および／または携帯電話１６２を使用して、データセンター装置１４１がサービス事業者用に加工・蓄積した生活状況情報をＷＷＷブラウザにより照会する。また、携帯電話１６２および／または固定電話１６３を使用して、見守り者１５０からの電話音声によるサービス要請連絡を受ける。
　ただし、電子メールの受信およびＷＷＷブラウザによる照会については、ここではパソコン、携帯電話で説明するが、これらに限定されるものではなく、ＰＤＡ等他の機器であってもよい。また、サービス要請の連絡については、ここでは電話音声によるものとして説明するが、これに限定されるものではなく、電子メール等他の方法であってもよい。
　また、サービス事業者は本発明に必須のものではなく、サービス事業者が存在しない形態でも基本サービスを提供することが可能である。
【００２９】
　《多数のホームコントローラからの通信データの処理方法》
　〈ホームコントローラでのデータ分類および分類ごとの送信方法〉
　見守り者が使用者の生活状況や留守宅を見守るためには、使用者宅で発生する事象とデータセンター装置でその事象を提供するまでの遅延が短いことが望ましい。このためにはホームコントローラからデータセンター装置へのデータ送信はリアルタイム（または、極力短い遅延時間）であることが望ましいが、データセンター装置に接続するホームコントローラ数が多数（例えば、１０万件）の場合、データセンター装置での通信処理が非常に高負荷になるため、これを処理するデータセンター装置のコストは高額になってしまう。データセンター装置のコストを抑え、多数のホームコントローラとの通信処理を行うには、ホームコントローラ１台あたりの通信回数を削減することと、データセンター装置での通信トラフィックの特定時間への集中回避を行う必要がある。
　本発明では、ホームコントローラでデータ内容によりデータを分類し、その分類に応じた送信方法を実現することで、ホームコントローラ１台あたりの通信回数の削減を行う。また、各ホームコントローラの通信発生タイミングを分散化させることにより、データセンター装置での通信トラフィックの特定時間への集中回避を行う。
　以下、これらの方法について説明する。
【００３０】
　ホームコントローラがデータセンター装置へ送信するデータを、緊急性が高くリアルタイムで送信する必要のある即時送信データ、緊急性が低く一定時間データを蓄積した後送信する蓄積送信データ、一定時間毎に送信する必要のある一定時間毎送信データの３種類に分類する。
　即時送信データに分類されるデータは、留守宅への侵入者検知を通知するために必要な外出時人検知データ、データセンター装置で通知判定に使用するモード切替データ、ホームコントローラで通知判定した通知データ（一定時間人未検知通知データ、特定時間帯人未検知通知データ等）である。
　蓄積送信データとして分類されるデータは、見守り者およびサービス事業者への生活状況情報の提供に使用する在宅時人検知データである。人検知センサーが最初に人検知した時点から在宅時人検知データの蓄積を開始し、設定データ「在宅時データサンプリング時間」（例えば、１分）毎にサンプリングした人検知データを設定データ「在宅時データ蓄積時間」（例えば、２０分）蓄積後、在宅時人検知データをデータセンター装置へ送信する。送信後、再度在宅時人検知データの蓄積を開始するのは、人検知センサーが再度人検知した時点からとなる。設定データ「在宅時データ蓄積時間」中に在宅モードから他のモードへモード切替操作があった場合は、その時点で蓄積した在宅時人検知データをデータセンター装置へ送信する。
　一定時間毎送信データとして分類されるデータは、ホームコントローラの正常稼働をデータセンター装置へ伝える定期通信データである。定期通信データは、一定時間毎または設定された時刻に送信する方法ではなく、最終の通信から設定データ「定期通信間隔」（例えば、６０分）通信が発生しない状態が継続したときのみ送信する。
　これらの方法により、人検知センサーが人検知していない場合の通信の抑制、不要な定期通信の抑制、ホームコントローラ毎の通信発生タイミングの分散化によるデータセンター装置での通信トラフィックの特定時間への集中回避、随時発生する人検知データをサンプリングすることによるデータ量の削減、蓄積送信による通信回数の削減を実現している。
【００３１】
　（データセンター装置での不正アクセスによる通信処理負荷増大の回避）
　データセンター装置のホームコントローラ通信サーバは、不正アクセスによる通信負荷を削減するため、認証されないＩＰアドレスからの通信をアクセス回数に応じて幾何級数的に通信拒否時間を延長する機能を有する。この機能を図７により説明する。
　ステップＳ２００でホームコントローラ通信サーバのＴＣＰポートをオープンし、ステップＳ２０１で接続要求を待ち受ける。接続要求があると、ステップＳ２０２でＴＣＰセッションを確立し、ステップＳ２０３で送信元ＩＰアドレスが通信拒否リストにあるかチェックし、通信拒否リストにない場合はステップＳ２０４で受信タイムアウトをチェックする。受信タイムアウトが発生しない場合、ステップＳ２０５で認証チェックを行う。送信元が認証された場合、ステップＳ２０６へ進む。ステップＳ２０６では、送信元が通信拒否リストに登録されている場合、通信拒否リストから送信元の情報を削除する。次に、ステップＳ２０７でデータ通信を行う。データ通信が完了すると、ステップＳ２０８でＴＣＰセッションをクローズし、ステップＳ２０１のＴＣＰ待ち受け状態へ戻る。
　ステップＳ２０３で送信元ＩＰアドレスが通信拒否リストにある場合は、ステップＳ２０９で現在日時と通信拒否リストの許可日時を比較し、現在日時が許可日時を経過している場合はステップＳ２０４へ進み、現在日時が許可日時を経過していない場合はステップＳ２１１へ進む。
　ステップＳ２０４で受信タイムアウトが発生した場合、およびステップＳ２０５で認証されなかった場合、ステップＳ２１０で送信元情報を通信拒否リストへ登録する。このとき、通信拒否時間算出用変数ｎに０（ゼロ）をセットする。ステップＳ２１１で通信拒否時間算出用変数ｎに１を加算し、ステップＳ２１２で通信拒否リストの許可日時に現在日時に２のｎ乗の秒数を加算した日時をセットし、ステップＳ２０１の接続要求待ち受け状態へ戻る。
【００３２】
　（データセンター装置での通信処理の高速化）
　データセンター装置では、ホームコントローラとの通信処理専用のホームコントローラ通信サーバを設置し、データの送受信、送信元の認証、データの暗号化・復号化等通信に必要な処理のみを行い、受信データをキュー経由でファイアウォールで保護された生活状況監視・通知サーバへ連携し、加工、蓄積、通知判定等の処理を実行する構成としている。
　これにより、ホームコントローラ通信サーバは通信処理に特化することとファイアウォールのスループットの制約の影響を受けないことで通信処理が高速化され、さらに使用者の生活状況データは、ファイアウォールで保護された生活状況監視・通知サーバで管理される。なお、将来的に安価で高スループットのファイアウォールが製品化された場合は、ファイアウォールを負荷分散装置のインターネット側に設置する構成も可能である。
　また、ホームコントローラ通信サーバは、個々のホームコントローラに依存せず、全てのホームコントローラとの通信処理を行えるような機能としているため、ホームコントローラ数の増加すなわち通信トラフィック量の増加に合わせてサーバ機を増設することができ、多数のホームコントローラからの通信を処理することが可能であるとともに、コストパフォーマンスに優れた構成とすることが可能となる。
【００３３】
　〈ファームウェアのバージョンアップ方法〉
　多数かつ分散された場所に設置されたホームコントローラを対象にホームモニタリングサービスを継続的かつ効率的に提供するため、ホームコントローラのアプリケーションプログラム（ファームウェア）の機能拡張やバグ等に対応したバージョンアップを、インターネット常時接続回線を利用して遠隔ダウンロードすることが可能なしくみとしている。なお、ホームコントローラのバージョンは、ホームコントローラの識別ＩＤの構成要素であるメーカコード、デバイスタイプ、モデルナンバーごとに管理される。
　以下、ファームウェアのバージョンアップ手順の１例について説明する。
　使用者または見守り者は、バージョンアップされたファームウェアが提供されていることをＷＷＷブラウザ閲覧、メール受信または郵便はがき受領等の手段により知り、ＷＥＢブラウザを利用してファームウェアバージョンアップの登録を行う。
　次に、使用者がホームコントローラを解除モードに設定すると、ホームコントローラは、データセンター装置からの各通信データに含まれるダウンロード対象ファームウェアバージョンとホームコントローラ内に保持する現在ファームウェアバージョンを比較し、ダウンロード対象ファームウェアバージョンが現在ファームウェアバージョンと異なる場合、ホームコントローラに保持するダウンロードセンターＩＰアドレスのダウンロードサーバ装置に通信を行い、ファームウェアをインターネット常時接続回線経由でダウンロードし、バージョンアップを行う。
　ファームウェアのバージョンアップ中はホームモニタリングサービスを提供することができないため、解除モードでのみバージョンアップが可能とし、その他のモード（在宅、外出または帰宅通知外出モード）ではバージョンアップはできないものとしている。また、ファームウェアのバージョンアップ中は、バージョンアップ中であることが明示的にわかるように、ホームコントローラの全てのモード状態表示ＬＥＤが点滅する。バージョンアップが正常に完了すると、ホームコントローラはバージョンアップ直前の状態で再起動する。なお、バージョンアップ中に通信異常や電源断等が発生した場合、ホームコントローラはバージョンアップのリトライを設定された回数行い、それでも正常に完了しなかった場合は全てのＬＥＤを点灯し、使用者へ異常を通知する。
　なお、各ホームコントローラのファームウェアバージョンは、ホームコントローラ起動時のデータセンター装置への通信データに含まれており、データセンターでバージョン管理を行う。これにより、バージョンアップが必要なホームコントローラを有する使用者または見守り者に対して、バージョンアップの督促を行うことも可能である。
　もちろん、ホームコントローラを操作することにより、ＷＷＷブラウザからファームウェアバージョンアップ登録を行うことなく、ファームウェアのバージョンアップを行うことも可能である。
【００３４】
　〈ホームコントローラ内部データのアップロード方法〉
　多数かつ分散された場所に設置されたホームコントローラを対象にホームモニタリングサービスを継続的かつ効率的に提供するため、システム上の不具合やホームコントローラの障害等に備え、その原因追求が可能となるよう、使用者宅に設置されたホームコントローラの内部データをインターネット常時接続回線経由でデータセンターで取得できるようなしくみとしている。なお、ホームコントローラの内部データは生活上の個人情報が含まれているため、その取得に際しては使用者の了解を事前に得ておく必要がある。
　以下、ホームコントローラの内部データの取得手順の１例について説明する。
　データセンターの運用者が、使用者の了解を得た後、データセンター運用機能により内部データ取得の登録を行うと、データセンターで各ホームコントローラごとに管理している内部データアップロードカウンターの値を１加算する。その後、ホームコントローラは通信時に、データセンターから内部データアップロードカウンターを受け取ると、一時データ記憶部に保持する内部データアップロードカウンターと比較し、異なっている場合、最新の内部データを作成し、データセンター装置へ送信する。
　データセンターの運用者は、受信した内部データを解析し、不具合対応や障害対応に利用する。
　内部データの内容は、次のとおりである。
・ホームコントローラ識別データ（ホームコントローラ識別ＩＤ、ＭＡＣアドレス）
・動作データ（起動時動作モード、パスワード入力回数、在宅モード動作記録フラグ、外出モード動作記録フラグ、現在モード、起動時システムチェック結果等）
・日時データ（起動日時、モード切替最終日時、設定データ更新日時、人検知センサー最終検知日時、一定時間人未検知監視開始日時、特定時間帯人未検知監視開始日時、特定時間帯人未検知監視終了日時等）
・ＩＰアドレスデータ（データセンターＩＰアドレス、ダウンロードセンターＩＰアドレス）
・設定データ（一定時間人未検知通知設定、一定時間人未検知監視時間、特定時間帯人未検知通知設定、特定時間帯人未検知監視開始時刻、特定時間帯人未検知監視終了時刻等）
・外部インターフェース接続データ（機器識別ＩＤ、機器状態フラグ、通信回数、異常発生回数等）
・ホームコントローラ稼動ログデータ
・ＬＡＮステータスデータ（ＩＰアドレス、サブネットマスク、デフォルトゲートウェイ、ＴＣＰタイムアウト値）
【００３５】
　〈データセンター装置からホームコントローラへの送信方法〉
　家庭で使用するインターネット常時接続回線は一般的に変動ＩＰアドレスであるため、データセンター装置からホームコントローラへ通信するためには、各家庭の変動ＩＰアドレスをデータセンター装置で随時認識するしくみと各家庭のネットワーク環境に応じたルータ等の機器への特殊な設定が必要であり、多くの家庭を対象とするシステムでは実現が困難である。
　これを解決する方法として、データセンター装置がホームコントローラからの通信を受けとったときに、ホームコントローラへ送信すべきデータがあるときは応答データに含めて送信するしくみとしている。ホームコントローラからデータセンター装置への通信間隔は最大で設定データ「定期通信間隔」（例えば、６０分）であり、少なくとも定期通信間隔後にはホームコントローラへの送信が完了する。
【００３６】
　《高齢者等の生活見守りと留守宅の見守りを同時に提供する方法》
　〈ホームコントローラの工夫〉
　ホームコントローラに在宅および外出モードのモード設定スイッチを装備し、在宅モードでは高齢者等の生活見守り、外出モードでは留守宅の見守りに必要なデータをデータセンター装置へ送信することにより、高齢者等の生活見守りと留守宅の見守りを同時に提供することを可能としている。
　以下、その方法について説明する。
【００３７】
　最初に、在宅モードでのホームコントローラの動作を説明する。図８は、在宅モードでのホームコントローラの動作の１例を示す。
　使用者が在宅モードのモード設定スイッチを押下し、モード切替操作（６００）を行うと在宅モードとなり、状態表示部の在宅モードを示すＬＥＤが点灯し、データセンター装置へモード切替データを送信（６０１）する。
　在宅モードでは、内蔵および／または外付けの人検知センサーが最初に人検知した時点（６０２）から、設定データ「在宅時データサンプリング時間（６０３）」（例えば、１分）毎に人検知データのサンプリング（６０４）を行い、設定データ「在宅時データ蓄積時間（６０５）」（例えば、２０分）蓄積した人検知データ（６０６）をデータセンター装置へ送信（６０７）する。送信後、再度人検知データの蓄積動作を開始するのは、人検知センサーが人検知した時点（６０８）からとなる。設定データ「在宅時データ蓄積時間（６０９）」中に在宅モードから他のモードへモード切替操作（６１０）が行われた場合は、その時点でデータセンター装置へ蓄積した人検知データ（６１１）をデータセンター装置へ送信（６１２）し、続けてモード切替データを送信（６１３）する。
　また、在宅モードにおいて、事前にデータセンター装置から取得した通知条件および人検知データにより、ホームコントローラが行う通知判定および通知データの送信処理を以下に示す。
　設定データ「一定時間人未検知通知設定」がＯＮの場合、内蔵および／または外付けの人検知センサーが人検知を行わない状態が、設定データ「一定時間人未検知監視時間」経過したとき、データセンター装置へ一定時間人未検知通知データを送信する。設定データ「一定時間人未検知通知設定」がＯＦＦの場合はデータセンター装置へ一定時間人未検知通知データを送信しない。
　また、設定データ「特定時間帯人未検知通知設定」がＯＮの場合、内蔵および／または外付けの人検知センサーが人検知を行わない状態が、設定データ「特定時間帯人未検知監視開始時刻」から設定データ「特定時間帯人未検知監視終了時刻」の間継続したとき、データセンター装置へ特定時間帯人未検知通知データを送信する。設定データ「特定時間帯人未検知通知設定」がＯＦＦの場合はデータセンター装置へ特定時間帯人未検知通知データを送信しない。
【００３８】
　次に、外出モードでのホームコントローラの動作を説明する。図９は、外出モードでのホームコントローラの動作の１例を示す。
　使用者が外出モードのモード設定スイッチを押下し、モード切替操作（７００）を行うと外出モードとなり、状態表示部の外出モードを示すＬＥＤが点灯し、データセンター装置へモード切替データを送信（７０１）する。
　外出モードで内蔵および／または外付けの人検知センサーが人検知（７０２）を行うと、即座にデータセンター装置へ人検知データを送信（７０３）するとともに、ブザーにより警報音の鳴動（７０４）を行い、状態表示部の異常通知ＬＥＤの点滅（７０５）を行う。人検知の状態変化がある都度、即座にデータセンター装置へ人検知データを送信（７０６）する。
　警報音は、設定された時間（例えば、５分間）出力を継続したのち停止する。警報音および状態表示部の異常通知ＬＥＤとも、外出モードから在宅または解除モードへのモード切替操作が行われた時点（７０７）で出力動作を停止する。
　ただし、外出モードへのモード切り替え直後の誤検知を抑止するために、設定データ「外出時不作動時間（７０８）」内は、人検知センサーが人検知した場合でも、データセンター装置への人検知データの送信、ブザーおよび状態表示部の出力制御は行わない。また、人検知データの送信（７０３）の後、設定データ「帰宅時猶予時間（７０９）」と設定データ「再通知抑制時間（７１０）」の合計時間内に、再び人検知センサーが人検知した場合でも、ブザーによる警報音の鳴動は行わない。
　外出モードから解除または在宅モードへのモード切替操作（７０７）は、認証パスワード入力キーにより認証パスワードを入力した後、解除または在宅モードのモード設定スイッチを押下する。入力された認証パスワードが予め設定された認証パスワードと一致した場合、ブザーにより認証完了音の鳴動（７１１）を行い、解除または在宅モードへ切り替わる。一致しなかった場合、ブザーにより認証異常音の鳴動（７１１）を行い、外出モードを継続する。認証パスワードの入力は、例えば２回まで再入力することができ、連続して３回、認証パスワード入力に失敗すると、データセンター装置へ認証操作異常通知データを送信（７１２）する。
【００３９】
　なお、使用者が認証パスワードを忘れた場合は、データセンター装置からホームコントローラへ設定データ「認証パスワード初期化設定」を送信し、設定された認証パスワードの削除を行うことで、使用者が認証パスワードを再設定するこができる。
　また、使用者が外出モードのモード設定スイッチを一定時間、ここでは２秒以上押下すると帰宅通知外出モードとなり、状態表示部の外出モードを示すＬＥＤが点滅し、帰宅通知外出モードであることを表示し、モード切替データをデータセンター装置へ送信する。その他は外出モードと同じ動作を行う。
【００４０】
　〈データセンター装置でのデータ加工等による拡張性〉
　データセンター装置はサービス事業者ごとに、それぞれのサービス事業者が対象とする使用者の情報管理を行う機能を有するとともに、使用者ごとの生活状況データを一元管理していることから、容易にサービス事業者ごとに必要な情報に加工して提供することが可能である。
【００４１】
　《インターネットを利用した通信における信頼性の確保》
　ホームコントローラとデータセンター装置間の通信網としてインターネット網を使用することから、通信の信頼性やセキュリティを確保する必要がある。本発明では、ホームコントローラのデータ再送機能、ホームコントローラの認証および通信データの暗号化、データセンター装置の不正アクセスからの保護等の対策を行っている。
　以下、その対策について説明する。
【００４２】
　〈ホームコントローラのデータ再送機能〉
　ホームコントローラがデータセンター装置へのデータ送信時、通信異常により送信できない場合は設定された回数（例えば、２回）の再送処理を行い、それでも通信できない場合は、ホームコントローラの固定データ記憶部のデータセンターＩＰアドレスリストに予め設定されている次のＩＰアドレスへ同様に再送処理を行う。データセンターＩＰアドレスリストに設定されているＩＰアドレス全てについて再送処理を行い、それでも送信できない場合は、送信データを保管しておき、次回の送信タイミングで保管されたデータを時系列順に再送する。
　以下、ホームコントローラの再送処理を図１０により説明する。
　送信データが新たに発生したとき、ステップＳ３００でデータセンターＩＰアドレスリストのインデックスｎに０（ゼロ）をセットし、ステップＳ３０１でインデックスｎに１を加算する。次に、ステップＳ３０２でインデックスｎが設定されたデータセンターＩＰアドレス登録数（例えば、３）以下かどうか判断する。インデックスｎが設定されたデータセンターＩＰアドレス登録数以下のときステップＳ３０３へ進み、それ以外のときは送信処理を終了する。
　ステップＳ３０３でｎ番目のＩＰアドレスを送信先ＩＰアドレスとして取得する。次に、ステップＳ３０４再送カウンターｉに０（ゼロ）をセットし、ステップＳ３０５で再送カウンターｉに１を加算する。次に、ステップＳ３０６で再送カウンターｉが設定された最大再送回数（例えば、３）以下かどうか判断する。再送カウンターｉが最大再送回数以下のとき、ステップＳ３０７へ進み、それ以外のときはステップＳ３０１へ戻る。
　ステップＳ３０７でインデックスｎ番目のＩＰアドレスへデータ送信を行い、Ｓ３０８で送信結果をチェックする。送信が完了した場合ステップＳ３０９へ進み、送信が失敗した場合ステップＳ３０５へ進む。
　ステップＳ３０９で一時データ記憶領域から送信済みデータを削除し、ステップＳ３１０で一時データ記憶領域に次の送信データがあるかどうかチェックする。次の送信データがある場合はステップＳ３０４へ戻り、次の送信データがない場合は処理を終了する。
【００４３】
　〈ホームコントローラの認証および通信データの暗号化〉
　図１１にホームコントローラとデータセンター装置間の通信シーケンスを示す。
　ステップＳ４００で、ホームコントローラはデータセンター装置へ通信を行うとき、ＴＣＰコネクションを確立する。ＴＣＰコネクションが確立すると、ステップＳ４０１でホームコントローラは、予め設定されたデータセンター通信用パスワードおよび乱数から生成したデータ等から電子署名を作成し、ステップＳ４０２で接続・認証要求としてデータセンター装置へ送信する。
　ステップＳ４０３で、データセンター装置は接続・認証要求を受け取ると、同様の方法で別途作成した電子署名とホームコントローラから受信した電子署名を比較し、認証処理を行う。ステップＳ４０４で、認証結果に応じた応答データを接続・認証応答として送信する。なお、認証エラーの場合は、送信後ＴＣＰコネクションを切断する。
　認証ＯＫの接続・認証応答を受信したホームコントローラは、ステップＳ４０５で、送信データを暗号化し、ステップ４０６で暗号化したデータでデータ通信要求の送信を行う。
　ステップＳ４０７で、暗号化されたデータ通信要求を受け取ったデータセンター装置は、受信データの復号化を行い、受信データに応じた応答データの作成および暗号化を行う。ステップＳ４０８でデータセンター装置は暗号化した応答データをデータ通信応答としてホームコントローラへ送信する。
　ステップＳ４０９で、暗号化されたデータ通信要求を受け取ったホームコントローラは、受信データの復号化を行い、受信データに応じた要求データの作成および暗号化を行う。
　以降、同様の方法でデータ通信を行い、データ通信の終了後、ステップＳ４１０でＴＣＰコネクションの切断を行い、終了する。
【００４４】
　〈データセンター装置の不正アクセスからの保護〉
　データセンター装置は、前述の〈データセンター装置での不正アクセスによる通信処理負荷増大の回避〉により、認証されないＩＰアドレスからの通信をアクセス回数に応じて幾何級数的に通信拒否時間を延長する機能を有するとともに、ホームコントローラから収集した使用者の生活状況データ等の個人情報については、ファイアウォールで保護された生活状況監視・通知サーバおよびＤＢサーバに保管することで、不正アクセスから保護する。
【００４５】
　《プライバシーへの配慮》
　ホームコントローラに解除モードのモード設定スイッチを装備し、使用者が解除モードに設定することにより、生活状況を公開したくないという意思を反映できるようにしている。また、見守り者はデータセンター装置へアクセスし、ＷＷＷブラウザで通知条件を設定することにより、解除モードが設定された時間継続すると見守り者へ通知を行うことができ、見守り者側にも配慮したしくみとしている。
　次に、解除モードでの動作を説明する。
　使用者が解除モードのモード設定スイッチを押下すると解除モードとなり、状態表示部の解除モードを示すＬＥＤが点灯し、モード切替データをデータセンター装置へ送信する。解除モードでは、使用者のプライバシーを守るため、人検知データ、通知データ等のデータセンター装置への送信を行わず、ホームコントローラが正常であることを伝える定期通信データのみ送信する。
　ただし、設定データ「解除モード通知設定」がＯＮの場合、解除モードの継続時間が設定データ「解除モード監視時間」を経過したとき、データセンター装置へ解除モード通知データを送信する。解除モード通知データを受け取ったデータセンター装置は、予め設定された通知先へ電子メールおよび／または電話音声にて通知を行う。
【００４６】
　《ホームモニタリングシステム以外の用途》
　本発明をホームモニタリングシステムに適用した場合について説明したが、多地点に分散する情報発生源から頻繁にデータを収集・提供するシステムへの適用が可能である。例えば、道路渋滞情報の収集・提供システム、気温・風向・風速等気象情報の収集・提供システム等である。
【００４７】
　（作用）
　１．本発明により、高齢者等の見守りまたは留守宅の見守りのサービスを受ける利用者は、次のとおり、低負担で、高品質かつ多様なサービスを享受することが可能となる。
　　(1)インターネット常時接続回線を使用することにより、通信の増大にかかわらず通信費用がかさまない。
　　(2)モード設定機能を装備することにより、一つのシステムによって、高齢者の見守り、留守宅の見守りのサービスを同時に受けることができる。
　　(3)センサーと一体化することにより、宅内機器が安価である。
　　(4)宅内機器とデータセンター間の擬似双方向通信を実現することにより、利用者の希望に応じて通知等の条件をきめ細かに設定できるため、多彩な通知のメニューと合わせて、生活のあらゆるシーンに対応したサービスとなっている。
　　(5)ホームコントローラの再送信機能により、インターネット特有の通信の未到達を極力回避している。
　　(6)通信データの暗号化およびホームコントローラの電子認証等により、通信のセキュリティも確保している。
　　(7)情報の送信を中止する解除モードを設定することにより、見守られる側のプライバシーに配慮すると同時に、見守る側からも解除モードが設定されたことが分かる仕組みとなっており、双方に配慮したサービスとなっている。
　　(8)定期通信を行うことにより、常に宅内機器の稼働状況が確認でき、いち早く不具合を発見することができる。
　　(9)データセンター運営者と提携する事業者の多様なサービスを選択して享受することができる。
　２．本発明によれば、データセンター運営者は、次のとおり、データセンターの設備負担を軽減することができる。
　　(1)宅内機器で情報の送信を抑制し、データセンターで情報の受信を抑制することにより、通信設備負担を軽減することができる。
　　(2)サーバコンピュータ間で、負荷の分散、機能の分担を行うことにより、処理設備負担を軽減することができる。
　　(3)同時に、サーバコンピュータを適宜増設することにより、利用者の増加に対応した設備の増強を容易に行うことができる。
　３．本発明によれば、データセンター運営者が構築するシステム、ネットワークを利用することにより、提携するサービス事業者は、高齢者等の見守りまたは留守宅の見守りに関連したサービス、あるいはその他、収集、蓄積、加工した情報を基に多様なサービスを提供することができ、自ら専用のシステム、ネットワークを構築することなく、新規の利用者を獲得することができる。さらに、事業者は、データセンター運営者が、利用者から様々なサービス利用料を一括して徴収することにより、利用料徴収の手間や費用を省くことができる。
　また、データセンター運営者は、提携するサービス事業者からシステム利用料を徴収することにより、構築や運営に係る費用を回収することができると同時に、利用者に対して、多様なサービスを提案することができ、ひいては新規の利用者を獲得することができる等相乗効果を期待することができる。
【００４８】
　本発明の詳細を実施例で説明する。本発明はこれらの実施例によって何ら限定されることはない。
【実施例１】
【００４９】
　本発明がもたらしうるビジネスの１例を、図１２を用いて説明する。
　図１２は、本発明を用いた、使用者の留守宅を見守るシステムの概略図である。なお、図中の使用者と見守り者の関係は通常、同居の家族または同一の人物である。
　本発明のホームコントローラ８０１を使用者宅８００に設置し、本システムの使用者８０２が外出時にホームコントローラ８０１のモード設定スイッチを操作して外出または帰宅通知外出モードに設定することにより、帰宅した使用者８０２または侵入者８０３を人検知センサーで検出し、即座にインターネット網８０４を介して外出時人検知データをデータセンター８０５へ送信する。使用者８０２であれば認証パスワード入力および在宅または解除モードへのモード切替操作を行い、ホームコントローラ８０１はモード切替データを即座にデータセンター８０５へ送信する。なお、使用者８０２が外出時にホームコントローラ８０１を外出または帰宅通知外出モードに設定し忘れた場合、宅外から携帯電話８０８等のＷＷＷブラウザよりデータセンター８０５へアクセスし、外出モードまたは帰宅通知外出モードへの設定登録を行うことができる。また、ホームコントローラ８０１の外出モードまたは帰宅通知外出モードへの設定が完了すると、外出モード設定完了通知を携帯電話８０８等で受信することも可能である。
　データセンター８０５は、外出時人検知データを受信後、設定された時間内にモード切替データを受信した場合は使用者８０２の帰宅と判定し、外出時人検知通知を行わないが、設定された時間内にモード切替データを受信しない場合は侵入者８０３を検知したと判定し、見守り者８０７があらかじめインターネット対応の携帯電話８０８等によりインターネット網８０６を介して設定した通知条件に基づいて、携帯電話８０８等の指定された電子メールアドレスまたは電話番号へ外出時に人検知したことを通知する電子メールの送信または電話による音声通知を行う。また、使用者８０２または侵入者８０３が認証パスワード入力を３回連続して間違った場合は、認証操作異常を通知する電子メールの送信または電話による音声通知を同様に行う。帰宅通知外出モードでは、使用者８０２が在宅または解除モードへモード切替を行うと、使用者宅の住人が帰宅したことを通知する電子メールの送信または電話による音声通知を同様に行う。これらの電子メール送信例を図１３（ア）に示す。
　見守り者８０７は電子メールまたは電話による通知を受けると、携帯電話８０８等を使用してインターネット網８０６を介してデータセンター８０５から図１３（イ）のような宅内のホームコントローラ８０１の人検知センサー動作情報をホームページより取得、照会し、異常と判断した場合は、契約した警備会社８０９に現場出動を携帯電話８０８等を使用して電話網８０６を介して依頼し、留守宅の様子を確認する。
　一方、見守り者８０７（または、使用者８０２）、警備会社８０９、データセンター８０５の運営者の三者は、使用者宅８００のホームコントローラ８０１が取得した生活情報を見守り者８０７が取得、照会、活用すること、および見守り者８０７からの警備会社８０９への現場出動依頼に基づく現場確認に関し、契約を締結する。データセンター８０５の運営者は、この契約に基づき、留守宅見守りサービスに係る認証を見守り者８０７（または、使用者８０２）に与える。
　また、現場確認に関する料金については、毎月一定料金にしてもよいし、出動１回の料金を決めて出動回数に応じて積算する方法、およびこれらを組み合わせる方法などがあり、サービス事業者毎に異なっていても何ら差し支えない。
　このようなことで、本システムにより、見守り者８０７は外出時の自宅を安価に見守ることができるとともに、異常と判断した場合は警備会社８０９への現場出動依頼により安心感を得ることができる。
【００５０】
　これら一連の流れについて、使用者が自宅のホームコントローラのモード設定スイッチを外出または帰宅通知外出モードに切り替えて外出し、その間に、外部から何者かが使用者宅に侵入し、これを人検知センサーが検知してデータセンターへ送信し、データセンターから見守り者の携帯電話に電子メールまたは電話で通知するケースのホームコントローラおよびデータセンターの処理フローを説明する。
【００５１】
　図１４および図１５は、ホームコントローラの外出および帰宅通知外出モードでの処理フローを示す。
　前提条件として、使用者は事前にパソコンまたは携帯電話のＷＷＷブラウザ等により以下の通知条件を設定しておくものとする。
　・外出時人検知通知設定（ＯＮ／ＯＦＦ）
　・外出時不作動時間（外出モード設定から外出するまでに要する時間で、この時間内は人検知データの送信を抑制する）
　・帰宅時猶予時間（帰宅時に人検知を検出してから外出時人検知通知を行うまでの猶予時間で、この時間内に使用者認証を伴う在宅または解除モードへのモード切替が行われない場合は外出時人検知通知を行う）
　・再通知抑制時間（外出時人検知通知後の再通知を抑制する時間で、この時間内に人検知を検出しても外出時人検知通知を行わない）
　・外出時人検知通知先（外出時人検知通知の宛先で、電子メール通知の宛先となる電子メールアドレスおよび音声通知の宛先である電話番号を設定する）
　また、外出または帰宅通知外出モードから在宅または解除モードへのモード切替時に入力が必要となる認証パスワードは、使用者がホームコントローラを操作して事前に設定しておくものとする。
【００５２】
　使用者が自宅のホームコントローラの外出または帰宅通知外出モードに設定すると、ステップＳ５００で、一度、外出時人検知通知を行った後の再通知を抑制するまでの時刻を意味する再通知抑制日時Ｔｙに０（ゼロ）をセットし、ステップＳ５０１へ進む。
　ステップＳ５０１では、使用者が外出または帰宅通知外出モードへのモード切替操作を行ってから外出するまでの間、人検知データの送信を抑制する日時を意味する外出時不作動日時Ｔｆへ、外出モード切替日時に外出時不作動時間を加算した日時をセットし、ステップＳ５０２へ進む。
　ステップＳ５０２では、モード切替操作が行われたかどうかの検出を行い、モード切替操作が行われていない場合はステップＳ５０３へ、在宅または解除モードへのモード切替操作が行われた場合はステップＳ５１６へ進む。
　ステップＳ５０３では、人検知センサーによる人検知（ＯＮ状態からＯＦＦ状態へ、またはＯＦＦ状態からＯＮ状態への変化）があったかどうかの検出を行い、人検知を検出した場合はステップＳ５０４へ進み、検出しなかった場合はステップＳ５１３へ進む。
　ステップＳ５０４では、人検知を検出した日時を人検知日時Ｔｄへセットし、ステップＳ５０５へ進む。
　ステップＳ５０５では、人検知日時Ｔｄと外出時不作動日時Ｔｆを比較し、Ｔｄ＞Ｔｆ、すなわち人検知日時が外出時不作動日時を経過している場合はステップＳ５０６へ進み、Ｔｄ≦Ｔｆ、すなわち人検知日時が外出時不作動日時を経過していない場合はステップＳ５０２へ戻る。これは、外出モードへの切替操作直後の人検知は使用者の外出までの動きを検知したものと判断し、外出時不作動時間経過後の人検知は使用者以外の侵入または使用者の帰宅を検知したものと判断している。
　ステップＳ５０６では、外出時人検知データをデータセンターへ送信し、ステップＳ５０７へ進む。
　ステップＳ５０７では、異常通知ＬＥＤの状態を判断し、消灯している場合はステップＳ５０８へ進み、すでに点滅している場合はＳ５０９へ進む。
　ステップＳ５０８では、異常通知ＬＥＤを点滅し、ステップＳ５０９へ進む。
　ステップＳ５０９では、再通知抑制日時Ｔｙの値を判断し、初期値０（ゼロ）でない、すなわち外出時不作動日時後に人検知を検出済みである場合はステップＳ５１０へ進み、初期値０（ゼロ）、すなわち外出時不作動日時後、初めて人検知を検出した場合、ステップＳ５１１へ進む。
　ステップＳ５１０では、人検知日時Ｔｄと再通知抑制日時Ｔｙを比較し、Ｔｄ＞Ｔｙ、すなわち再通知抑制日時後に人検知を検出した場合はステップＳ５１１へ進み、Ｔｄ≦Ｔｙ、すなわち再通知抑制日時までの間に人検知を検出した場合はステップＳ５０２へ戻る。
　ステップＳ５１１では、警報音をＯＮにし、ステップＳ５１２へ進む。
　ステップＳ５１２では、人検知日時Ｔｄに帰宅時猶予時間および再通知抑制時間を加算した日時を再通知抑制日時Ｔｙへセットし、ステップＳ５０２へ戻る。
　次に、ステップＳ５０３で人検知の検出がなかった場合の処理フローを説明する。
　ステップＳ５１３では、警報音の状態を判定し、既に警報音がＯＮの場合はステップＳ５１４へ進み、ＯＦＦの場合はステップＳ５０２へ戻る。
　ステップＳ５１４では、警報音ＯＮ後５分を経過している場合はステップＳ５１５へ進み、５分未満の場合はステップＳ５０２へ戻る。
　ステップＳ５１５では、警報音をＯＦＦにしてステップＳ５０２へ戻る。
　次に、ステップＳ５０２でモード切替を検出した場合の処理フローについて説明する。
　ステップＳ５１６では、入力された認証パスワードが、ホームコントローラに事前に設定されている認証パスワードと一致するか判定を行い、一致した場合はステップＳ５１７へ進み、一致しなかった場合はステップＳ５２４へ進む。外出または帰宅通知外出モードから在宅または解除モードへ切替を行うためには、認証パスワードを入力する必要があり、正しい認証パスワードが入力された場合は使用者が帰宅したと判定し、それ以外の場合は侵入者と判断する。
　ステップＳ５１７では、認証完了音をＯＮにし、ステップＳ５１８へ進む。
　ステップＳ５１８では、設定されたモードを記憶し、ステップＳ５１９へ進む。
　ステップＳ５１９では、異常通知ＬＥＤの状態を判定し、異常通知ＬＥＤが点滅している場合はステップＳ５２０へ進み、それ以外（消灯）の場合はステップＳ５２１へ進む。
　ステップＳ５２０では、異常通知ＬＥＤを消灯し、ステップＳ５２１へ進む。
　ステップＳ５２１では、警報音の状態を判定し、ＯＮの場合はステップＳ５２２へ進み、ＯＦＦの場合はステップＳ５２３へ進む。
　ステップＳ５２２では、警報音をＯＦＦにして、ステップＳ５２３へ進む。
　ステップＳ５２３では、モード切替データを作成し、データセンターへ送信し、設定されたモード（在宅または解除モード）へ移行する。
　次に、ステップＳ５１６で入力された認証パスワードが、ホームコントローラに事前に設定されている認証パスワードと一致しなかった場合の処理フローについて説明する。
　ステップＳ５２４では、認証エラー音をＯＮにして、ステップＳ５２５へ進む。
　ステップＳ５２５では、認証操作異常通知設定の判定を行い、ＯＮの場合はステップＳ５２６へ進み、ＯＦＦの場合はステップＳ５０２へ戻る。
　ステップＳ５２６では、認証エラーが３回連続した場合はステップＳ５２７へ進み、３回未満の場合はステップＳ５０２へ戻る。
　ステップＳ５２７では、認証操作異常通知データを作成し、データセンターへ送信し、ステップＳ５０２へ戻る。
【００５３】
　次に、データセンター側の処理フローを説明する。
図１６は、図１４および図１５においてホームコントローラが送信した外出時人検知データ、認証操作異常通知データおよびモード切替データを受け取り、通知を行うまでのデータセンターの処理フローを示す。
ステップＳ６００からＳ６０９の処理フローは、外出時に使用者が帰宅した時や再通知抑制時間内等、予め設定した一定時間内は外出時人検知通信を行わず、それを超えた場合、侵入者がありと判定し、予め登録された通知先へ電子メール送信や電話による音声通知を行うためのステップである。
　具体的には、ステップＳ６００では、外出時人検知通知日時Ｔｘおよび再通知抑制日時Ｔｒに０（ゼロ）をセットし、ステップＳ６０１へ進む。
　ステップＳ６０１では、再通知抑制日時Ｔｒの値を判定し、０（ゼロ）の場合はステップＳ６０２ヘ進み、０（ゼロ）以外の場合はステップＳ６０７へ進む。
　ステップＳ６０２では、外出時人検知通知日時Ｔｘの値を判定し、０（ゼロ）の場合はステップＳ６０９ヘ進み、０（ゼロ）以外の場合はステップＳ６０３へ進む。
　ステップＳ６０３では、現在日時と外出時人検知通知日時Ｔｘを比較し、現在日時＞Ｔｘ、すなわち現在日時が外出時人検知通知日時Ｔｘを経過している場合はステップＳ６０４へ進み、現在日時≦Ｔｘ、すなわち現在日時が外出時人検知通知日時Ｔｘを経過していない場合はステップＳ６０９へ進む。
　ステップＳ６０４では、外出時人検知通知文を作成し、事前に外出時人検知通知の通知先として登録されている電子メールアドレス、電話番号へ電子メール送信および音声通知を行い、ステップＳ６０５へ進む。
　ステップＳ６０５では、外出時人検知通知データを通知実績データとして保管し、ステップＳ６０６へ進む。
　ステップＳ６０６では、外出時人検知通知日時Ｔｘに再通知抑制時間を加算した日時を再通知抑制日時Ｔｒへセットし、ステップＳ６０９へ進む。
　ステップＳ６０１で再通知抑制日時Ｔｒが０（ゼロ）でない場合の処理であるステップＳ６０７では、現在日時と再通知抑制日時Ｔｒの比較を行い、現在日時＞Ｔｒ、すなわち現在日時が再通知抑制日時Ｔｒを経過した場合はステップＳ６０８へ進み、現在日時≦Ｔｒ、すなわち現在日時が再通知抑制日時Ｔｒを経過していない場合はステップＳ６０９へ進む。
　ステップＳ６０８では、外出時人検知通知日時Ｔｘおよび再通知抑制日時Ｔｒに０（ゼロ）をセットし、ステップＳ６０９へ進む。
　ステップＳ６０９では、ホームコントローラからの送信要求の有無を判定し、送信要求がある場合はステップＳ６１０へ進み、送信要求がない場合はステップＳ６０１へ戻る。
　ステップＳ６１０では、ホームコントローラからの送信データを受信し、ステップＳ６１１へ進む。
　ステップＳ６１１では、受信データ種別を判定し、外出時人検知データの場合はステップＳ６１２へ進み、認証操作異常通知データの場合はステップＳ６１５へ進み、モード切替データの場合はステップＳ６１７へ進む。
　ステップＳ６１２では、外出時人検知データを保管し、ステップＳ６１３へ進む。
　ステップＳ６１３では、外出時人検知通知日時Ｔｘの値を判定し、０（ゼロ）の場合はステップＳ６１４へ進み、０（ゼロ）でない場合はステップＳ６２３へ進む。
　ステップＳ６１４では、ホームコントローラからの受信データに含まれる人検知日時に帰宅時猶予時間を加算した日時を外出時人検知通知日時Ｔｘへセットし、Ｓ６２３へ進む。
　次に、ステップＳ６１１で受信データ種別が認証操作異常通知データの場合の処理フローを説明する。
　ステップＳ６１５では、認証操作異常通知文を作成し、事前に認証操作異常通知の通知先として登録されている電子メールアドレス、電話番号へ電子メール送信および音声通知を行い、ステップＳ６１６へ進む。
　ステップＳ６１６では、認証操作異常通知データを通知実績データとして保管し、ステップＳ６２３へ進む。
　次に、ステップＳ６１１で受信データ種別がモード切替データの場合の処理フローを説明する。
　ステップＳ６１７では、モード切替データを保管し、ステップＳ６１８へ進む。
　ステップＳ６１８では、外出時人検知通知日時Ｔｘおよび再通知抑制日時Ｔｒに０（ゼロ）をセットし、ステップＳ６１９へ進む。
　ステップＳ６１９では、受信データに含まれる設定されたモードの値を記憶し、ステップＳ６２０へ進む。
　ステップＳ６２０では、切替前のモードの値を判定し、帰宅通知外出モードの場合はステップＳ６２１へ進み、帰宅通知外出モードでない場合はステップＳ６２３へ進む。
　ステップＳ６２１では、帰宅通知文を作成し、事前に帰宅通知の通知先として登録されている電子メールアドレス、電話番号へ電子メール送信および音声通知を行い、ステップＳ６２２へ進む。
　ステップＳ６２２では、帰宅通知データを通知実績データとして保管し、ステップＳ６２３へ進む。
　ステップＳ６２３では、図１３（イ）に示す外出時人検知状況照会画面の元データとなる外出時人検知状況データを外出時人検知データ、外出時人検知通知データ、認証操作異常通知データおよびモード切替データより作成、保管し、ステップＳ６０１へ戻る。
【００５４】
　このように、外出モードでの人検知データは即座にデータセンターへ送信され、データセンターで認証を伴ったモード切替データを待ち受ける。設定された時間内にモード切替データを受信した場合は使用者宅の住人が帰宅したと判定し、設定された時間内にモード切替データを受信しない場合は侵入者と判定し、外出時人検知通知を行う。データセンターで判定することにより、侵入者がホームコントローラやネットワーク機器の電源を遮断したり、破壊した場合でも確実に通知を行えるようなしくみとしている。
【実施例２】
【００５５】
　本発明がもたらしうるもう一つのビジネスの１例を、図１７を用いて説明する。
　図１７は、本発明を用いた、使用者の生活を見守るシステムの概略図である。本発明のホームコントローラ９０１を一人暮らしの高齢者等（以下、「使用者」という）９０２が生活している使用者宅９００に設置し、使用者９０２が操作したモード設定情報および使用者９０２の動作を検知する人検知センサーの検知情報をホームコントローラ９０１で取得、保持し、その収集したデータをあらかじめ設定したタイミングでインターネット網９０３を介してデータセンター９０４へ送信する。
　本システムを利用した生活見守りサービスを提供する介護支援会社等のサービス事業者９０８および家族（以下、「見守り者」という）９０６は、インターネット網９０５を介してデータセンター９０４にある使用者宅９００のホームコントローラ９０１のモード設定情報および人検知センサーの検知情報の生活情報をインターネット対応の携帯電話９０７やパソコン９０９等を使用してホームページより取得することにより、使用者９０２と同居しなくても、使用者９０２の生活の様子を推測することができ、異常と判断した場合は、使用者宅９００に電話を架け、安否を確認する。
　このとき、データセンター９０４が見守り者９０６やサービス事業者９０８へ提供する情報画面は、図１８のように、単なるデータを羅列するのではなく、グラフや表を使ってデータを見やすく編集することや、過去３０日間のデータを提供し、現在と過去の実績を比較しやすくし、使用者の生活での異常を容易に発見できる工夫を施す。また、情報画面は、サービス事業者９０８のニーズに合わせて、データを加工し、サービス事業者独自の画面を提供するサービスも考えられる。
　一方、見守り者９０６およびサービス事業者９０８からデータセンター９０４にアクセスする方法だけでなく、見守り者９０６およびサービス事業者９０８が携帯電話９０７やパソコン９０９を使用してインターネット網９０５を介してデータセンター９０４にあらかじめ設定した通知条件（例えば、一定時間人未検知通知、特定時間帯人未検知通知等の通知設定、設定時間等）に使用者９０２の生活情報が合致した場合は、図１３（ウ）のような電子メールや電話でその旨を携帯電話９０７またはパソコン９０９等へ通知するサービスを提供する。
　使用者９０２、見守り者９０６、サービス事業者９０８、データセンター９０４の運営者の四者は、使用者宅９００のホームコントローラ９０１が取得した生活情報をサービス見守り者９０６およびサービス事業者９０８が取得、照会、活用することに関し、契約を締結する。データセンター９０４の運営者は、この契約にもとづき、生活見守りサービスに係る認証を見守り者９０６およびサービス事業者９０８に与える。なお、データセンター９０４の運営者がサービス事業者９０８となって本システムのサービスを提供するケースもあり得る。
　また、介護事業者などがサービス事業者となり、異常があった場合に使用者宅の確認を行ったりする場合の料金については、月額一定料金としてもよいし、一回当たりの確認に対する料金を定め、赴く回数に応じて積算する方法、さらにはこれらを組み合わせて行う方法などがあり、サービス事業者ごとに異なっていても何ら差し支えない。
　このように、本システムにより、見守り者９０６は手間をかけず、見守り者９０６自らまたはサービス事業者９０８を介して居ながらにして使用者９０２の生活を安価に見守ることができるとともに、使用者９０２にとっては、生活を見守られるためにホームコントローラ９０１のモード設定のための若干の操作は伴うものの自分の生活リズムを変えることなく、見守り者９０６またはサービス事業者９０８から見守られている安心感を得ることができる。
【００５６】
　次に、具体的な見守りの事例について、図１８を用いて説明する。
　使用者が在宅時に通常使用するキッチンおよび居間に人検知センサーを設置しており、使用者は通常７時頃に起床し、キッチンで食事をつくり、居間で食事を行うという生活パターンを見守り者が知っている場合は、７時から９時までの間、在宅モードで人検知センサーが人検知しなかったときに通知する特定時間帯人未検知通知設定をＯＮとして、事前にデータセンターへパソコンまたは携帯電話のＷＷＷブラウザから登録しておく。例えば、１１月１８日の７時から９時に在宅モードで人検知センサーの人検知が１回もなかった場合、ホームコントローラは９時になった時点でデータセンターへ特定時間帯人未検知通知データを送信し、データセンターは事前に設定された通知先（見守り者、サービス事業者等）へ電子メールや電話で通知を行う。このときの通知文例を図１３（ウ）に示す。電子メールを受け取った見守り者またはサービス事業者は、図１８に示す生活状況照会画面を参照し、使用者の生活状況を確認するとともに、使用者宅へ電話をかけ、安否の確認を行い、必要であれば駆けつけるといったことが可能である。なお、図１８はパソコンで表示可能な画面形式を表示しているが、電子メールを携帯電話で受け、そのまま携帯電話で同様の内容の画面を照会することも可能である。
　また、事前に特定時間帯人未検知通知設定をＯＮとして登録していなくても、図１８に示す生活状況照会画面等を定期的に閲覧することで、使用者の生活状況を把握することが可能である。図１８では、１１月０９日から１１月１７日までは７時から９時の間に人検知センサーが人検知し、通常通り起床し、キッチンで食事をつくり、居間で食事をしたと想定できるが、１１月１８日はキッチンおよび居間での人検知センサーの人検知がなく、体調不良で寝込んでいる可能性があると判断することができる。
　このように、見守り者やサービス事業者は、使用者と一緒に生活していなくても普段の生活リズムと異なる状態をリアルタイムに近いかたちで知ることができ、容易に使用者の生活を見守ることが可能となる。
【００５７】
　使用者の生活見守りを行う場合のホームコントローラおよびデータセンターの処理フローについて、在宅モードでの在宅時人検知データの蓄積送信および特定時間帯人未検知通知を１例として説明する。
　前提条件として、使用者は事前にパソコンまたは携帯電話のＷＷＷブラウザ等により以下の通知条件を設定しておくものとする。
　・特定時間帯人未検知通知設定（ＯＮ／ＯＦＦ）
　・特定時間帯人未検知監視開始時刻および特定時間帯人未検知監視終了時刻（開始時刻から終了時刻までは２４時間未満で設定可能で、この時間帯に人検知を検出しなかった場合に特定時間帯人未検知通知を行う）
　・特定時間帯人未検知通知先（特定時間帯人未検知通知の宛先で、電子メール通知の宛先となる電子メールアドレスおよび音声通知の宛先である電話番号を設定する）
【００５８】
　図１９は、在宅モードでの人検知検出からデータセンターへ送信するまでのホームコントローラの処理フローを示す。
　ステップＳ７００では、在宅時人検知データ送信日時Ｔｓに０（ゼロ）をセットし、ステップＳ７０１へ進む。
　ステップＳ７０１では、人検知データ保管領域を初期化し、ステップＳ７０２へ進む。
　ステップＳ７０２では、モード切替操作が行われたかどうかの検出を行い、モード切替操作が行われていない場合はステップＳ７０３へ進み、他のモード（外出、帰宅通知外出または解除モード）へのモード切替操作を検出した場合は、ステップＳ７１０へ進む。
　ステップＳ７０３では、人検知状態の判定を行い、人検知がＯＮ状態の場合はステップＳ７０４へ進み、ＯＦＦ状態の場合はステップＳ７０７へ進む。
　ステップＳ７０４では、在宅時人検知データ送信日時Ｔｓの判定を行い、Ｔｓが０（ゼロ）、すなわち在宅モード切替後または在宅時人検知データをデータセンターへ送信後、人検知ＯＦＦ状態が継続している場合はステップＳ７０５へ進み、Ｔｓが０（ゼロ）でない、すなわち在宅時人検知データの蓄積を開始している場合はステップＳ７０６へ進む。
　ステップＳ７０５では、在宅時人検知データ送信日時Ｔｓへ人検知日時に在宅時データ蓄積時間（例えば、２０分）を加算した日時をセットし、ステップＳ７０６へ進む。
　ステップＳ７０６では、在宅時人検知データサンプリング時間（例えば、１分）で人検知データをサンプリング保管し、ステップＳ７０７へ進む。
　ステップＳ７０７では、在宅時人検知データ送信日時Ｔｓの判定を行い、Ｔｓが０（ゼロ）でない場合はステップＳ７０８へ進み、Ｔｓが０（ゼロ）の場合はステップＳ７０２へ戻る。
　ステップＳ７０８では、現在日時と在宅時人検知データ送信日時Ｔｓの比較を行い、現在日時＞Ｔｓ、すなわち現在日時が在宅時人検知データ送信日時を経過している場合はステップＳ７０９へ進み、現在日時≦Ｔｓ、すなわち現在日時が在宅時人検知データ送信日時を経過していない場合はステップＳ７０２へ戻る。
　ステップＳ７０９では、蓄積した在宅時人検知データをデータセンターへ送信し、Ｓ７００へ戻る。
　次に、ステップＳ７０２で、在宅モードから他のモード（外出、帰宅通知外出または解除モード）へのモード切替操作を検出した場合の処理フローについて説明する。
　ステップＳ７１０では、切替後のモード値を記憶し、ステップＳ７１１へ進む。
　ステップＳ７１１では、Ｔｓが０（ゼロ）でない、すなわち在宅時人検知データの蓄積がある場合はステップＳ７１２へ進み、Ｔｓが０（ゼロ）、すなわち在宅時人検知データの蓄積が無い場合はステップＳ７１３へ進む。
　ステップＳ７１２では、モード切替時点まで蓄積した在宅時人検知データをデータセンターへ送信し、Ｓ７１３へ進む。
　ステップＳ７１３では、モード切替データをデータセンターへ送信して、在宅モードを終了する。
【００５９】
　図２０は、在宅モードでの特定時間帯人未検知通知データをデータセンターへ送信するまでのホームコントローラの処理フローを示す。
　ステップＳ８００では、特定時間帯人未検知通知設定の判定を行い、ＯＮの場合はステップＳ８０１へ進み、ＯＦＦの場合はステップＳ８０３へ進む。
　ステップＳ８０１では、特定時間帯人未検知監視開始時刻（時分秒）および現在日時に基づき、次の監視対象となる特定時間帯人未検知監視開始日時Ｔａをセットし、ステップＳ８０２へ進む。
　ステップＳ８０２では、特定時間帯人未検知監視終了時刻（時分秒）および現在日時に基づき、次の監視対象となる特定時間帯人未検知監視終了日時Ｔｂをセットし、ステップＳ８０５へ進む。
　ステップＳ８０３では、特定時間帯人未検知監視開始日時Ｔａに０（ゼロ）をセットし、ステップＳ８０４へ進む。
　ステップＳ８０４では、特定時間帯人未検知監視終了日時Ｔｂに０（ゼロ）をセットし、ステップＳ８０５へ進む。
　ステップＳ８０５では、モード切替操作が行われたかどうかの検出を行い、モード切替操作が行われていない場合はステップＳ８０６へ進み、他のモード（外出、帰宅通知外出または解除モード）へのモード切替操作を検出した場合はステップＳ８１３へ進む。
　ステップＳ８０６では、人検知状態の判定を行い、人検知がＯＮ状態の場合はステップＳ８０７へ進み、ＯＦＦ状態の場合はステップＳ８０８へ進む。
　ステップＳ８０７では、特定時間帯人未検知監視時間帯での人検知かどうかの判定を行い、Ｔｂ≧人検知時日時≧Ｔａ、すなわち特定時間帯人未検知監視時間帯に人検知の検出を行った場合はステップＳ８１０へ進み、Ｔｂ≧人検知時日時≧Ｔａでない、すなわち特定時間帯人未検知監視時間帯での人検知の検出ではない場合はステップＳ８０８へ進む。
　ステップＳ８０８では、現在日時が特定時間帯人未検知監視終了日時Ｔｂを経過しているかどうかの判定を行い、現在日時＞Ｔｂ＞０、すなわち特定時間帯人未検知通知設定がＯＮで、現在日時が特定時間帯人未検知監視終了日時Ｔｂを経過している場合はステップＳ８０９ヘ進み、現在日時＞Ｔｂ＞０でない、すなわち特定時間帯人未検知監視設定がＯＦＦまたは現在日時が特定時間帯人未検知監視終了日時Ｔｂを経過していない場合はステップＳ８１２ヘ進む。
　ステップＳ８０９では、特定時間帯人未検知通知データを作成し、データセンターへ送信し、ステップＳ８１０へ進む。
　ステップＳ８１０では、特定時間帯人未検知監視開始日時Ｔａに１日を加算し、次の特定時間帯人未検知監視開始日時をセットし、ステップＳ８１１へ進む。　ステップＳ８１１では、特定時間帯人未検知監視終了日時Ｔｂに１日を加算し、次の特定時間帯人未検知監視終了日時をセットし、ステップＳ８１２へ進む。　ステップＳ８１２では、見守り者またはサービス事業者が設定する通知条件（特定時間帯人未検知通知設定、特定時間帯人未検知監視開始時刻および特定時間帯人未検知監視終了時刻）に変更があり、データセンターから変更された通知条件を取得した場合はステップＳ８００へ戻り、通知条件に変更がない場合はステップＳ８０５へ戻る。
　次に、ステップＳ８０５で、在宅モードから他のモードへのモード切替操作を検出した場合の処理フローについて説明する。
　ステップＳ８１３では、切替後のモード値を記憶し、ステップＳ８１４へ進む。
　ステップＳ８１４では、モード切替データをデータセンターへ送信して、在宅モードを終了する。
【００６０】
　図２１は、図１９および図２０においてホームコントローラが送信した在宅時人検知データ、特定時間帯人未検知通知データおよびモード切替データを受け取り、通知を行うまでのデータセンターの処理フローを示す。
　ステップＳ９００では、ホームコントローラからの送信要求の有無を判定し、送信要求がある場合はステップＳ９０１へ進み、ない場合はステップＳ９００へ戻る。
　ステップＳ９０１では、ホームコントローラからの送信データを受信し、ステップＳ９０２へ進む。
　ステップＳ９０２では、受信データ種別を判定し、在宅時人検知データの場合はステップＳ９０３へ進み、特定時間帯人未検知通知データの場合はステップＳ９０４へ進み、モード切替データの場合はステップＳ９０６へ進む。
　ステップＳ９０３では、在宅時人検知データを保管し、ステップＳ９０７へ進む。
　ステップＳ９０４では、特定時間帯人未検知通知文を作成し、事前に特定時間帯人未検知通知の通知先として登録されている電子メールアドレス、電話番号へ電子メール送信および音声通知を行い、ステップＳ９０５へ進む。図１３（ウ）に携帯電話での電子メール受信例を示す。
　ステップＳ９０５では、特定時間帯人未検知通知データを通知実績データとして保管し、ステップＳ９０７へ進む。
　ステップＳ９０６では、モード切替データを保管し、ステップＳ９０７へ進む。
　ステップＳ９０７では、図１８に示す在宅時生活状況照会画面の元データとなる在宅時生活状況データを在宅時人検知データ、特定時間帯人未検知通知データおよびモード切替データより作成・保管し、Ｓ９００へ戻る。
【００６１】
　実施例１および実施例２では、外出、帰宅通知外出および在宅モードでの人検知データの送信、外出時人検知通知、認証操作異常通知（認証失敗通知）、帰宅通知、外出モード設定完了通知、特定時間帯人未検知通知の例を説明したが、その他にも以下の通知機能を有しており、使用者、見守り者、サービス事業者、データセンター運用者等へ各種通知を行うことが可能なしくみとしている。
・一定時間人未検知通知
　在宅モードで設定した時間、継続して人の動きを検知しなかったときに通知する。使用者が病気や体調不良で動けない状態などの検知が可能である。
・在宅時人検知通知
　在宅モードで人の動きを検知したときに通知する。使用者が高齢者であるなどの理由により、ホームコントローラのモード設定スイッチの操作は行わず、在宅モードのままで利用するような場合において、使用者が帰宅したことを知ることができる。
・解除モード通知
　解除モードが設定された時間以上継続しているときに通知する。見守り者は、見守ることができない状態が継続していることを知ることができる。
・生活状況未閲覧通知
　見守り者が生活状況を長く閲覧していないときに閲覧督促を通知する。見守り者の見守り忘れを防止することができる。
・家族レポート
　毎日設定された時刻に過去２４時間分の生活状況情報をメールにて通知する。見守り者が能動的にＷＷＷブラウザを利用して閲覧しなくても、自動的に生活情報が送られてくるので見守り忘れが防止できる。
・留守宅レポート
　毎日設定された時刻に過去２４時間分の留守宅情報をメールにて通知する。長期間外出する場合などに利用することで、留守宅の状況が把握でき、安心感を得ることができる。
・連絡通知
　連絡ボタン１〜３を押下すると、ボタン番号に対応した通知先へ通知する。連絡通知は、単に押下されたボタン番号を設定された通知先へ通知するだけなので、事前に使用者と見守り者間で連絡通知およびボタン番号の意味付けを行っておく必要がある。使用者から見守り者またはその他の通知先へ簡易に連絡を取ることができる。
・サービス開始通知
　データセンターにおいてサービス開始登録を行った後、データセンター装置がホームコントローラから初めての通信を受信したときに通知する。初めてホームコントローラを設置し、サービスが開始した場合や、機器の障害や使用者または見守り者の都合によるサービス停止状態から再開した場合などに、見守り者およびその他の通知先に対し、ホームモニタリングサービスが開始または再開したことを連絡することができる。
・サービス状態通知
　サービス状態通知には、通信異常通知、通信正常復旧通知、機器異常通知、機器正常復旧通知の４つがある。これらの通知により、通信回線や機器の障害により見守ることができない状態になったことや、障害が復旧し見守ることができる状態になったことを知ることができる。
　通信異常通知は、ホームコントローラとデータセンター装置間の通信が設定された時間以上継続して途絶えた（通信異常状態）ときに行う通知である。通信異常通知を行った後、通信異常状態が継続している場合はあらかじめ設定された一定時間（例えば、２４時間）後に次の通知を行う。
　通信正常復旧通知は、通信異常状態のホームコントローラからデータセンター装置へ通信があったときに通知する。
　機器異常通知は、ホームコントローラ本体または接続機器に異常が発生した（機器異常状態）ときに通知する。ホームコントローラは、データセンター装置との各通信においてホームコントローラ本体および接続機器の状態を表す機器診断データを送信しており、データセンターはこの機器診断データにより異常を判断する。
　機器正常復旧通知は、ホームコントローラ本体および接続機器が機器異常状態から全ての異常がなくなり、正常になったときに通知する。
　また、実施例２ではセンサーを使用した場合を例として説明を行ったが、家電製品をはじめとする電気機器の使用回数や使用電力量などを使用して生活状態の見守りを行う場合には、使用者に見守られているということを意識せず、普段の生活を行うことによって、見守りを行うことができる。
　但し、実施例１および実施例２をはじめ、人や建物内の見守りを行う際には、住人のプライバシーに関わることであるので、見守りを開始する場合における住人等の同意を得ておくことはもちろんのこと、情報の取り扱いについても、外部に流出させないなど、プライバシーの侵害にならないよう十分注意を払う必要がある。
【図面の簡単な説明】
【００６２】
【図１】ホームモニタリングシステムの全体構成図である。
【図２】ホームコントローラの構成図である。
【図３】ホームコントローラの起動処理のフローチャートである。
【図４】データセンター装置の構成図である。
【図５】ホームコントローラ通信サーバの構成図である。
【図６】生活状況監視・通知サーバの構成図である。
【図７】データセンター装置での不正アクセス防止処理のフローチャートである。
【図８】在宅モードでのホームコントローラの動作例を示す図である。
【図９】外出モードでのホームコントローラの動作例を示す図である。
【図１０】ホームコントローラの再送処理のフローチャートである。
【図１１】ホームコントローラとデータセンター装置間の通信シーケンスを示す図である。
【図１２】留守宅の見守りシステムの概略図である。
【図１３】留守宅の見守りや生活見守りでの通知メール、外出時人検知状況紹介画面の例を示す図である。
【図１４】外出モードおよび帰宅通知外出モードでのホームコントローラのフローチャートである。
【図１５】図１４の続きのフローチャートである。
【図１６】外出モードおよび帰宅通知外出モードでのデータセンターのフローチャートである。
【図１７】生活見守りシステムの概略図である。
【図１８】生活見守りでの生活状況照会画面を示す図である。
【図１９】在宅モードでのホームコントローラの人検知データ送信のフローチャートである。
【図２０】在宅モードでのホームコントローラの特定時間帯人未検知通知データ送信のフローチャートである。
【図２１】在宅モードでのデータセンターのフローチャートである。
【図２２】外付け人検知センサーのハードウェア構成を示す図である。
【図２３】外付け人検知センサーの機能構成を示す図である。
【図２４】ホームコントローラ操作部の実装イメージを示す図である。
【図２５】ホームコントローラのモード遷移図である。
【図１】
2004145875.tif 000003
【図２】
2004145875.tif 000004
【図３】
2004145875.tif 000005
【図４】
2004145875.tif 000006
【図５】
2004145875.tif 000007
【図６】
2004145875.tif 000008
【図７】
2004145875.tif 000009
【図８】
2004145875.tif 000010
【図９】
2004145875.tif 000011
【図１０】
2004145875.tif 000012
【図１１】
2004145875.tif 000013
【図１２】
2004145875.tif 000014
【図１３】
2004145875.tif 000015
【図１４】
2004145875.tif 000016
【図１５】
2004145875.tif 000017
【図１６】
2004145875.tif 000018
【図１７】
2004145875.tif 000019
【図１８】
2004145875.tif 000020
【図１９】
2004145875.tif 000021
【図２０】
2004145875.tif 000022
【図２１】
2004145875.tif 000023
【図２２】
2004145875.tif 000024
【図２３】
2004145875.tif 000025
【図２４】
2004145875.tif 000026
【図２５】
2004145875.tif 000027